(57)【特許請求の範囲】
【請求項１】
ユーザ機器側の電子機器であって、
次の操作を実行するように配置される一つ又は複数の処理回路を含み、
前記ユーザ機器のための測位測定補助データを確定し、前記補助データは少なくとも一つの休眠小セル基地局から送信された強化型ディスカバリー参照信号ｅＤＲＳの配置情報を含み、
前記補助データに基づいて前記少なくとも一つの休眠小セル基地局から送信されたｅＤＲＳに対して測位測定を行い、
前記少なくとも一つの休眠小セル基地局から送信されたｅＤＲＳに対して測位測定を行った結果に基づいて測位情報を生成することで、前記ユーザ機器を測位し、
ただし、前記ｅＤＲＳはディスカバリー参照信号ＤＲＳより大きい送信パワーを有する電子機器。
【請求項２】
前記補助データは第１の休眠小セル基地局から送信したｅＤＲＳの配置情報及び他の二つのセル基地局から送信した測位測定するための参照信号の配置情報を含み、そして前記処理回路は前記補助データに基づいて前記第１の休眠小セル基地局から送信したｅＤＲＳ及び他の二つのセル基地局から送信した参照信号に対して測位測定を行い、且つ測定結果によって参照信号時間差ＲＳＴＤを算出することで前記測位情報を生成するように配置される請求項１に記載の電子機器。
【請求項３】
前記他の二つのセル基地局及び前記第１の休眠小セル基地局のうちの一つは測位参照セル基地局であり、残りの二つは測位に参与する隣接セル基地局であり、そして前記処理回路は前記補助データのうち隣接セル基地局の参照信号と参照セル基地局の参照信号との間のオフセット情報を読み取り、且つ前記オフセット情報に基づいて測定するように配置される請求項２に記載の電子機器。
【請求項４】
前記他の二つのセル基地局のうち少なくとも一つはアクティブセル基地局であり、このアクティブセル基地局の参照信号は測位参照信号ＰＲＳであり、そして前記処理回路は前記ｅＤＲＳと前記ＰＲＳの測定結果に基づいてＲＳＴＤを算出するように配置される請求項２又は３に記載の電子機器。
【請求項５】
前記ｅＤＲＳの配置情報は、ｅＤＲＳのパワー構成、帯域幅、サイクル、時間オフセット及びサイレント情報のうち少なくとも一つを含み、ただし、ｅＤＲＳのサイクルはＤＲＳサイクルの１より大きい整数倍である請求項１に記載の電子機器。
【請求項６】
前記ｅＤＲＳの配置情報は、さらに、当該少なくとも一つの休眠小セル基地局のセル基地局識別情報、周波数情報、アンテナポート配置情報及び巡回プレフィックス長情報のうち少なくとも一つを含む請求項４に記載の電子機器。
【請求項７】
前記処理回路は、さらに、前記ユーザ機器が位置する無線環境におけるＤＲＳに対して無線リソース管理測定を行うことで、隣接する休眠小セル基地局を発見するように配置されて、なお、前記処理回路は測定した信号強度識別ｅＤＲＳに基づいて、ｅＤＲＳの識別に応答して小セルディスカバリーを補正する請求項１に記載の電子機器。
【請求項８】
小セルディスカバリーを補正することは、無線リソース管理測定結果を確定するとき、
ｅＤＲＳを無視し、
ｅＤＲＳの前の一つの隣接するディスカバリー参照信号ＤＲＳを使用してｅＤＲＳに代わり、或いは、
ｅＤＲＳの受信パワーからｅＤＲＳとＤＲＳの送信パワーの差を引く請求項７に記載の電子機器。
【請求項９】
前記電子機器は前記ユーザ機器であって、そして、エアインタフェースによってネットワーク機器から前記測位測定補助データを受信し、前記ネットワーク機器へ前記測位情報を送信するように配置される送受信機をさらに含む請求項１〜８のいずれかに記載の電子機器。
【請求項１０】
無線通信システムにおける小セル基地局側の電子機器であって、
次の操作を実行するように配置される一つ又は複数の処理回路を含み、
制御装置からの強化型ディスカバリー参照信号ｅＤＲＳの送信配置情報を確定し、
前記配置情報に基づいて前記小セル基地局が管理する小セルのディスカバリー参照信号ＤＲＳに対してパワー制御を行うことで、前記ｅＤＲＳを生成し、
ただし、前記ｅＤＲＳは前記ＤＲＳより大きい送信パワーを有する電子機器。
【請求項１１】
前記配置情報は送信パワーの強化値指示及び送信サイクルを含み、そして前記処理回路は、前記送信サイクルに基づいてＤＲＳの送信パワーを強化することで、前記送信サイクルを有するｅＤＲＳ信号を生成するように配置される請求項１０に記載の電子機器。
【請求項１２】
ｅＤＲＳの送信サイクルはＤＲＳの送信サイクルのｎ倍であり、ただし、ｎは１より大きい整数である請求項１０に記載の電子機器。
【請求項１３】
前記配置情報は、さらに、時間オフセットを含み、そして前記処理回路は前記時間オフセットに基づいて各送信サイクル内の対応するＤＲＳの送信パワーを強化するように配置される請求項１１又は１２に記載の電子機器。
【請求項１４】
前記電子機器は小セル基地局であって、そして、送受信機をさらに含み、前記送受信機はエアインタフェースによって前記ｅＤＲＳを送信するように配置される請求項１０〜１３のいずれかに記載の電子機器。
【請求項１５】
無線通信システムにおける電子機器であって、
次の操作を実行するように配置される一つ又は複数の処理回路を含み、
ユーザ機器を測位するように、予定地理的領域内の測位待ちの前記ユーザ機器の数と位置のうちの少なくとも一つに基づいて、前記予定地理的領域内の少なくとも一つの休眠小セル基地局を起動して強化型ディスカバリー参照信号ｅＤＲＳを送信するかどうかを確定し、
確定した結果に基づいて対応する休眠小セル基地局ためのｅＤＲＳの送信配置情報を生成し、
ただし、前記ｅＤＲＳはディスカバリー参照信号ＤＲＳより大きい送信パワーを有する電子機器。
【請求項１６】
前記予定地理的領域内の隣接する休眠小セル基地局がｅＤＲＳを送信する時間は互いに異なる請求項１５に記載の電子機器。
【請求項１７】
前記一つ又は複数の処理回路は、さらに、前記予定地理的領域内の小セル基地局の間のｅＤＲＳとＤＲＳの干渉状況に基づいて、前記予定地理的領域内の少なくとも一つの休眠小セル基地局がｅＤＲＳを送信することを停止するかどうかを確定するように配置される請求項１５に記載の電子機器。
【請求項１８】
前記処理回路は、さらに、前記予定地理的領域内の休眠小セル基地局の数及び各休眠小セル基地局の被覆範囲のうちの少なくとも一つに基づいて、前記予定地理的領域内の各休眠小セル基地局にｅＤＲＳの送信パラメータを配置するように配置される請求項１５に記載の電子機器。
【請求項１９】
ｅＤＲＳの送信パラメータは送信パワーを含み、そして前記処理回路はｅＤＲＳの送信パワーがＤＲＳの送信パワーに対する強化値を、前記予定地理的領域内の休眠小セル基地局の数の増加に従って低下すること、及び／又は休眠小セル基地局の被覆範囲の増加に従って増加するように配置する請求項１８に記載の電子機器。
【請求項２０】
ｅＤＲＳの送信パラメータは送信サイクルを含み、そして前記処理回路は前記送信サイクルを前記予定地理的領域内の休眠小セル基地局の数の増加に従って増加するように配置する請求項１８に記載の電子機器。
【発明の詳細な説明】
【技術分野】
【０００１】
本開示は無線通信の技術分野に関し、具体的には、無線通信システムにおける電子機器及び無線通信システムにおいて無線通信を行うための方法に関する。
【背景技術】
【０００２】
この部分には、本開示に関連する背景情報を提供しているが、それは必ずしも従来技術とは限らない。
【０００３】
ＳＣＮ（Ｓｍａｌｌ  Ｃｅｌｌ  Ｎｅｔｗｏｒｋ：小セルネットワーク）は、データトラフィックの急速な増加に対応する効果的な手段であると見なされている。無線通信の標準化の議論において、一つの新しい参照信号であるＤＲＳ（Ｄｉｓｃｏｖｅｒｙ  Ｒｅｆｅｒｅｎｃｅ  Ｓｉｇｎａｌ：ディスカバリー参照信号）は、ｓｍａｌｌ  ｃｅｌｌ  オン／オフ（小セルオン／オフ）メカニズムをサポートするために用いられる。小セルがオフの状態で、小セル基地局はＤＲＳのみを送信する。
【０００４】
屋内測位は無線通信技術標準化における重点事項の一つである。従来のＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ：観測到着時間差）技術は、屋内測位技術において主に考えられる技術とする。セル特定参照信号だけに基づく場合には、ＯＴＤＯＡはまだ十分な精度に達成しないので、ＰＲＳ（Ｐｏｓｉｔｉｏｎｉｎｇ  Ｒｅｆｅｒｅｎｃｅ  Ｓｉｇｎａｌ：測位参照信号）を導入する。
【発明の概要】
【発明が解決しようとする課題】
【０００５】
しかしながら、小セルはオフ状態でＰＲＳを送信しない。ＯＴＤＯＡはＰＲＳだけに基づくと、大量の小セルはオフ状態にあるとき、ユーザ機器の測位精度が低下して、ひいては、測位できないことをもたらす。
【０００６】
そこで、測位精度を向上し測位プロセスを加速する目的を達成するように、新しい無線通信技術案を提出する必要がある。
【課題を解決するための手段】
【０００７】
この部分には、本開示の一般的な概要を提供して、その全ての範囲或いは全ての特徴を全面的に開示しない。
【０００８】
本開示の目的は、小セルオン／オフ技術とＯＴＤＯＡ技術を両立することで、ユーザ機器の測位精度を向上し測位プロセスを加速するように、無線通信システムにおける電子機器及び無線通信システムにおいて無線通信を行う方法を提供することにある。
【０００９】
本開示の一つの方面によれば、ユーザ機器側の電子機器を提供して、この電子機器は一つ又は複数の処理回路を含み、前記処理回路は、前記ユーザ機器のための測位測定補助データを確定し、前記補助データは少なくとも一つの休眠小セル基地局から送信された強化型ディスカバリー参照信号ｅＤＲＳの配置情報を含み、前記補助データに基づいて前記少なくとも一つの休眠小セル基地局から送信されたｅＤＲＳに対して測位測定を行い、前記少なくとも一つの休眠小セル基地局から送信されたｅＤＲＳに対して測位測定を行った結果に基づいて測位情報を生成することで、前記ユーザ機器を測位し、ただし、前記ｅＤＲＳはディスカバリー参照信号ＤＲＳより大きい送信パワーを有することを実行するように配置される。
【００１０】
本開示の他の方面によれば、無線通信システムにおける小セル基地局側の電子機器を提供して、この電子機器は一つ又は複数の処理回路を含み、前記処理回路は、制御装置からの強化型ディスカバリー参照信号ｅＤＲＳの送信配置情報を確定し、前記配置情報に基づいて前記小セル基地局が管理する小セルのディスカバリー参照信号ＤＲＳに対してパワー制御を行うことで、前記ｅＤＲＳを生成し、ただし、前記ｅＤＲＳは前記ＤＲＳより大きい送信パワーを有することを実行するように配置される。
【００１１】
本開示の他の方面によれば、無線通信システムにおける電子機器を提供して、この電子機器は一つ又は複数の処理回路を含み、前記処理回路は、予定地理的領域内の測位待ちのユーザ機器の数と位置のうちの少なくとも一つに基づいて、前記ユーザ機器を測位するように、前記予定地理的領域内の少なくとも一つの休眠小セル基地局を起動して強化型ディスカバリー参照信号ｅＤＲＳを送信するかどうかを確定し、確定した結果に基づいて対応する休眠小セル基地局のためのｅＤＲＳの送信配置情報を生成し、ただし、前記ｅＤＲＳはディスカバリー参照信号ＤＲＳより大きい送信パワーを有することを実行するように配置される。
【００１２】
本開示の他の方面によれば、無線通信システムにおいて無線通信を行うための方法を提供して、この方法は、ユーザ機器のための測位測定補助データを確定し、前記補助データは少なくとも一つの休眠小セル基地局から送信された強化型ディスカバリー参照信号ｅＤＲＳの配置情報を含むことと、前記補助データに基づいて前記少なくとも一つの休眠小セル基地局から送信されたｅＤＲＳに対して測位測定を行い、前記少なくとも一つの休眠小セル基地局から送信されたｅＤＲＳに対して測位測定を行った結果に基づいて測位情報を生成することで、前記ユーザ機器を測位することを含み、ただし、前記ｅＤＲＳはディスカバリー参照信号ＤＲＳより大きい送信パワーを有する。
【００１３】
本開示の他の方面によれば、無線通信システムにおいて無線通信を行うための方法を提供して、この方法は、制御装置からの強化型ディスカバリー参照信号ｅＤＲＳの送信配置情報を確定すること、前記配置情報に基づいて小セル基地局が管理する小セルのディスカバリー参照信号ＤＲＳに対して電力制御を行うことで、前記ｅＤＲＳを生成することを含み、ただし、前記ｅＤＲＳは前記ＤＲＳより大きい送信パワーを有することを含む。
【００１４】
本開示の他の方面によれば、無線通信システムにおいて無線通信を行うための方法を提供して、この方法は、ユーザ機器を測位するように、予定地理的領域内の測位待ちの前記ユーザ機器の数と位置のうちの少なくとも一つに基づいて、前記予定地理的領域内の少なくとも一つの休眠小セル基地局を起動して強化型ディスカバリー参照信号ｅＤＲＳを送信するかどうかを確定することと、確定した結果に基づいて対応する休眠小セル基地局のためのｅＤＲＳの送信配置情報を生成することを含み、ただし、前記ｅＤＲＳはディスカバリー参照信号ＤＲＳより大きい送信パワーを有する。
【００１５】
本開示に係る無線通信システムにおける電子機器及び無線通信システムにおいて無線通信を行うための方法を使用して、十分に従来のＤＲＳ信号を利用できて、それを適切に強化することで、測位精度を向上する作用を奏し、そして測位プロセスを加速する目的を達成することができる。
【００１６】
ここで提供した説明から、更なる適用領域は明らかになる。この概要における説明及び特定例は例示の目的のみのため、本開示の範囲を制限することが意図されない。
【図面の簡単な説明】
【００１７】
ここで説明する図面は、選択した実施例の例示的な目的のみのため、全ての可能な実施ではなく、そして本開示の範囲を制限することが意図されない。
【図１】図１は本開示の実施例に係る無線通信システムにおける電子機器の構成を示すブロック図である。
【図２】図２は本開示の他の実施例に係る無線通信システムにおける電子機器の構成を示すブロック図である。
【図３】図３は本開示の他の実施例に係る無線通信システムにおける電子機器の構成を示すブロック図である。
【図４】図４はｅＤＲＳ（ｅｎｈａｎｃｅｄ  ＤＲＳ：強化型ＤＲＳ）の配置モードを示す例のモード図である。
【図５】図５は本開示の実施例に係る無線通信システムにおいて無線通信を行うための方法を示すシーケンス図である。
【図６】図６は本開示の他の実施例に係る無線通信システムにおいて無線通信を行うための方法を示すシーケンス図である。
【図７】図７は本開示の他の実施例に係る無線通信システムにおいて無線通信を行うための方法を示すシーケンス図である。
【図８】図８は本開示の実施例に係る無線通信システムにおいて無線通信を行うための方法を示すフローチャートである。
【図９】図９は本開示に係るサーバーに適用されるモード的な配置の例を示すブロック図である。
【図１０】図１０は本開示に係るｅＮＢ（ｅｖｏｌｕｔｉｏｎ  Ｎｏｄｅ  Ｂａｓｅ  Ｓｔａｔｉｏｎ：進化型ノード基地局）に適用されるモード的な配置の第１例を示すブロック図である。
【図１１】図１１は本開示に係るｅＮＢに適用されるモード的な配置の第２例を示すブロック図である。
【図１２】図１２は本開示に係るスマートフォンに適用されるモード的な配置の例を示すブロック図である。
【図１３】図１３は本開示に係るカーナビゲーション装置に適用されるモード的な配置の例を示すブロック図である。
【００１８】
本開示は様々な修正と置換形態を容易に受けるが、その特定の実施例は既に例として図面に示して、且つここで詳しく説明している。しかしながら、ここで特定の実施例についての説明は本開示を開示した具体的な形式に制限しないつもりで、逆に、本開示の目的は本開示の精神及び範囲に入る全ての修正、均等及び置換を含むように理解される。なお、いくつかの図面において、対応する符号は対応する部材を指示する。
【発明を実施するための形態】
【００１９】
今、図面を参照して、更に、十分に本開示の例を説明する。以下の説明は実質的にはただ例示的なもので、本開示、応用或いは用途を制限することが意図されない。
【００２０】
例示的な実施例を提供することで、本開示は詳しいものになり、そして当業者へ十分にその範囲を伝達する。多くの特定の詳細、例えば、特定部材、装置及び方法の例を述べることで、本開示の実施例に対する詳しい理解を提供する。当業者にとって明らかになるのは、特定の詳細を使用する必要がなく、例示的な実施例は多くの異なる形式で実施されて、それらは本開示の範囲を制限するように解釈されない。ある例示的な実施例では、周知のプロセス、周知の構成及び周知の技術について、詳しく説明しない。
【００２１】
本開示に係るＵＥ（Ｕｓｅｒ  Ｅｑｕｉｐｍｅｎｔ：ユーザ機器）はモバイル端末、コンピュータ、車載機器等の無線通信機能を有する端末を含むが、これらに限定しない。更に、本開示に係るＵＥはＵＥ自身又はその中の部材、例えば、チップであってもいい。なお、本開示に係る基地局は、例えば、ｅＮＢ（ｅｖｏｌｕｔｉｏｎ  Ｎｏｄｅ  Ｂａｓｅ  Ｓｔａｔｉｏｎ：進化型ノード基地局）又はｅＮＢにおける部材例えばチップであってもいい。
【００２２】
次に、まず、発明者に知られているＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ：観測到着時間差）技術について簡単に紹介して、それは必ずしも従来技術とは限らない。
【００２３】
ＯＴＤＯＡ測位はＬＴＥ（Ｌｏｎｇ  Ｔｅｒｍ  Ｅｖｏｌｕｔｉｏｎ：ロングタームエボリューション）Ｒｅｌ−９において定義する下りリンク測位方式である。ＯＴＤＯＡにおいて、ＵＥ（Ｕｓｅｒ  Ｅｑｕｉｐｍｅｎｔ：ユーザ機器）は複数の基地局の参照信号のＴＯＡ（Ｔｉｍｅ  ｏｆ  Ａｒｒｉｖａｌ：到着時間）を測定し、隣接セルと参照セルとの到着時間差を算出する。幾何学的な観点から、各隣接セルと参照セルとの到着時間差はいずれも２次元平面に一つの双曲線を得る。さて、少なくとも三つの基地局の参照信号のＴＯＡを測定することによって、二つの双曲線を得られることで、ＵＥの二次元座標での位置（緯度と経度）を得る。
【００２４】
ＯＴＤＯＡはＵＥが観測した隣接セル及びサービングセルに対する参照信号時間差に基づいて実行されて、これは、ＲＳＴＤ（Ｒｅｆｅｒｅｎｃｅ  Ｓｉｇｎａｌ  Ｔｉｍｅ  Ｄｉｆｆｅｒｅｎｃｅ：参照信号時間差）と呼ばれる。
【００２５】
しかしながら、一般的に、隣接セルから送信した下りリンク信号はそのサービス範囲内にないＵＥに対して「可聴性」が低いので、ＯＴＤＯＡの測位精度及び測位成功率に厳しく影響している。
【００２６】
例えば、隣接セルの同期信号（例えば、ＰＳＳ（Ｐｒｉｍａｒｙ  Ｓｙｎｃｈｒｏｎｉｚａｔｉｏｎ  Ｓｉｇｎａｌ：マスタ同期信号）又はＳＳＳ（Ｓｅｃｏｎｄａｒｙ  Ｓｙｎｃｈｒｏｎｉｚａｔｉｏｎ  Ｓｉｇｎａｌ：セカンダリ同期信号））は利用されて測定するが、ＵＥは十分な隣接セルを検出して正確な測位を行うことが難しい。
【００２７】
従って、ＵＥにより隣接セルが検出された確率を増加することで、ＯＴＤＯＡが良い測位信頼性を取得するために、ＬＴＥ  Ｒｅｌ−９において専門的にＰＲＳ（Ｐｏｓｉｔｉｏｎｉｎｇ  Ｒｅｆｅｒｅｎｃｅ  Ｓｉｇｎａｌ：測位参照信号）を定義している。
【００２８】
ＰＲＳはＬＴＥ  Ｒｅｌ−８において定義したＣＲＳ（Ｃｅｌｌ−ｓｐｅｃｉｆｉｃ  ｒｅｆｅｒｅｎｃｅ  ｓｉｇｎａｌ：セル特定参照信号）と多く類似するところがある。ＰＲＳは擬似ランダムのＱＰＳＫ（Ｑｕａｄｒａｔｕｒｅ  Ｐｈａｓｅ  Ｓｈｉｆｔ  Ｋｅｙｉｎｇ：直交位相シフトキーイング）シーケンスを使用して、時間と周波数とのオフセットによって対角状にマッピングして、ＣＲＳとの衝突を回避する。ＰＲＳ信号はアンテナの６ポートだけで送信されて、そしてＰＢＣＨ（Ｐｈｙｓｉｃａｌ  Ｂｒｏａｄｃａｓｔ  Ｃｈａｎｎｅｌ：物理報知チャネル）、ＰＳＳ及びＳＳＳにより占用されたリソースブロックにマッピングされない。ＰＲＳの帯域幅は１５ｋＨｚに定義される。
【００２９】
下りリンクＥＰＲＥ（Ｅｎｅｒｇｙ  Ｐｅｒ  Ｒｅｓｏｕｒｃｅ  Ｅｌｅｍｅｎｔ：各リソースブロックエネルギー）はＰＲＳの帯域幅において常数に保持する。パワー補償（Ｐｏｗｅｒ  Ｏｆｆｓｅｔ）でＰＲＳとＣＲＳの送信パワー差値を示し、ＰＲＳの各リソースブロックにおける送信パワーを調節することに用いられる。
【００３０】
ＯＴＤＯＡ測位方法のコアネットワーク要素はＬＳ（Ｌｏｃａｔｉｏｎ  Ｓｅｒｖｅｒ：測位サーバー）である。ＣＰ（Ｃｏｎｔｒｏｌ  Ｐｌａｎｅ：制御プレーン）測位において、測位サーバーはＥ−ＳＭＬＣ  （Ｅｖｏｌｖｅｄ  Ｓｅｒｖｉｎｇ  Ｍｏｂｉｌｅ  Ｌｏｃａｔｉｏｎ  Ｃｅｎｔｒｅ：進化型サービングモバイルロケーションセンター）に相当するが、ＵＰ（Ｕｓｅｒ  Ｐｌａｎｅ：ユーザプレーン）測位において、測位サーバーはＳＵＰＬ（Ｓｅｃｕｒｅ  Ｕｓｅｒ  Ｐｌａｎｅ  Ｌｏｃａｔｉｏｎ：セキュアユーザプレーンロケーション）ＳＬＰ（ＳＵＰＬ  Ｌｏｃａｔｉｏｎ  Ｐｌａｔｆｏｒｍ：ＳＵＰＬロケーションプラットフォーム）に相当する。
【００３１】
ＧＭＬＣ（Ｇａｔｅｗａｙ  Ｍｏｂｉｌｅ  Ｌｏｃａｔｉｏｎ  Ｃｅｎｔｅｒ：ゲートウェイモバイルロケーションセンター）は、外部クライアントが制御プレーンロケーションをアクセスする１つ目のノードである。それは登録と認証を実行した後、ＭＭＥ（Ｍｏｂｉｌｉｔｙ  Ｍａｎａｇｅｍｅｎｔ  Ｅｎｔｉｔｙ：モビリティ管理エンティティ）へ測位要求を送信しＭＭＥから最終的な測位結果推定を受信する。
【００３２】
測位サーバーはＵＥへ測位補助データを送信し、ＵＥはＲＳＴＤ測定結果を測位サーバーに報告することで、端末機器に対するＯＴＤＯＡ測位を完了させる。測位サーバーは、ＵＥと連携して最終位置推定を算出しても、ＵＥに基づいて最終位置推定を検証してもいい。
【００３３】
制御プレーン方式では、ＭＭＥは他のエンティティ（例えば、ＧＭＬＣ、ＵＥ）からの特定ＵＥに関する測位サービス要求を受信し、或いは、ＭＭＥ自身は特定ＵＥに対する測位初期化作業を発起する。その後、ＭＭＥはＥ−ＳＭＬＣへ測位サービス要求を送信し、且つ、Ｅ−ＳＭＬＣは測位サービス要求を処理し、ＯＴＤＯＡ測位補助データを目標ＵＥに伝送する。そして、Ｅ−ＳＭＬＣは測位サービス結果情報をＭＭＥに返す。ＭＭＥが発起する測位サービス要求ではないと、ＭＭＥは測位結果を要求を発起するエンティティに送信する。
【００３４】
ＳＬＰはユーザプレーンロケーションを担当するＳＵＰＬエンティティであり、且つＳＬＰはデータキャリアによってユーザプレーンにおいて直接にＵＥと通信する。ＳＬＰがＯＴＤＯＡ測位フローにおける機能はＥ−ＳＭＬＣと同じである。
【００３５】
測位サーバー（Ｅ−ＳＭＬＣ又はＳＵＰＬ  ＳＬＰ）の間の測位プロトコルフローは、一般的に、キャリア伝送、補助データ伝送及び測位情報伝送の三つの部分を含む。
【００３６】
以上、ＯＴＤＯＡ技術を紹介した。次に、発明者に知られている小セルオン／オフ技術について簡単に紹介するが、これは必ずしも従来技術とは限らない。
【００３７】
小セルが集中に配備されるので、セルの間の同期信号と参照信号は厳しく干渉される。さらに、小セルオン／オフ技術を提出するので、小セルオン／オフの変換時間を削減するようにより効果的なセルディスカバリーメカニズムが必要である。従って、３ＧＰＰは、一種の新しい参照信号−−ＤＲＳ（Ｄｉｓｃｏｖｅｒｙ  Ｒｅｆｅｒｅｎｃｅ  Ｓｉｇｎａｌ：ディスカバリー参照信号）を設計して提出する。それに従って、ＤＲＳの提出は集中小セル間のロードバランシング、干渉調整、ＲＲＭ（Ｒａｄｉｏ  Ｒｅｓｏｕｒｃｅ  Ｍａｎａｇｅｍｅｎｔ：無線リソース管理）測定及びセル識別等に寄与する。このように、ＤＲＳの提出は一連の利益をもたらす。
【００３８】
ＤＲＳ信号は、主に、ＰＳＳ／ＳＳＳ及びＣＲＳを含み、ＣＳＩ−ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ：チャンネル状態情報参照信号）を含むかどうかは、次のことによって決まる。
【００３９】
ＣＳＩ−ＲＳに基づくＲＳＲＰ（Ｒｅｆｅｒｅｎｃｅ  Ｓｉｇｎａｌ  Ｒｅｃｅｉｖｉｎｇ  Ｐｏｗｅｒ：参照信号受信パワー）／ＲＳＲＱ（Ｒｅｆｅｒｅｎｃｅ  Ｓｉｇｎａｌ  Ｒｅｃｅｉｖｉｎｇ  Ｑｕａｌｉｔｙ：参照信号受信品質）の測定報告を配置すると、ＤＲＳはＰＳＳ／ＳＳＳ、ＣＲＳ及びＣＳＩ−ＲＳを含む。
【００４０】
ＣＲＳに基づくＲＳＲＰ／ＲＳＲＱの測定報告を配置すると、ＤＲＳはＰＳＳ／ＳＳＳ及びＣＲＳを含む。
【００４１】
２種の報告をともに配置すると、ＤＲＳはＰＳＳ／ＳＳＳ、ＣＲＳ及びＣＳＩ−ＲＳを含む。
【００４２】
次に、イントラ周波数及びパイロット周波数測定について、ＵＥは一つの所与の周波数でＤＲＳに基づく測定報告だけを配置し、この周波数でＵＥは任意の活性化したサービングセルに配置されないと、ＤＭＴＣ（ＤＲＳ  ｍｅａｓｕｒｅｍｅｎｔ  ｔｉｍｉｎｇ  ｃｏｎｆｉｇｕｒａｔｉｏｎ：ＤＲＳ測定タイミング配置）継続時間内で、ＵＥはＤＲＳだけを注意して、他の任意の信号及びチャンネルの存在を無視する。
【００４３】
また、ＤＲＳはただ下りリンクサブフレームまたはサブフレームのＤｗＰＴＳ（Ｄｏｗｎｌｉｎｋ  Ｐｉｌｏｔ  Ｔｉｍｅ  Ｓｌｏｔ：下りリンクパイロットタイムスロット）領域を転送される。ＤＲＳはＮ（Ｎ≦５）個の連続したサブフレームを組み合わせて構成して、一つのＰＳＳ／ＳＳＳを含み、且つ、ＣＲＳとＳＳＳは同一サブフレームに位置する。一つのＤＲＳは複数のＣＳＩ−ＲＳのＲＥ配置を有してもいい。ＣＳＩ−ＲＳサブフレームはＳＳＳサブフレームに対して一定のオフセットがある。ＤＲＳはＭミリ秒ごとに一回を転送して、Ｍは４０、８０及び１６０を取ることができる。
【００４４】
ＤＲＳ測定プロセスについて、主に、ＵＥは基地局から送信されたＤＭＴＣに基づいて測定する。ＤＭＴＣの具体的な配置は次の通りとなる。
【００４５】
ＵＥに対して周波数ごとに一つのＤＭＴＣを配置し、そのオフセットの基準時間はメインセルの時間である。
【００４６】
ＤＭＴＣのサイクル「Ｍ」について、候補値は［４０，８０，１６０］であって、ＤＭＴＣのオフセット「Ｌ」について、候補値は［０，１，…，Ｍ−１］である。
【００４７】
サイクルとオフセットのほかに、ＵＥはＲＲＣ（Ｒａｄｉｏ  Ｒｅｓｏｕｒｃｅ  Ｃｏｎｔｒｏｌ：無線リソース制御）により測定帯域幅を報知されて、ＵＥはこの測定帯域幅とシステム帯域幅が同じであると認めることができる。
【００４８】
ＤＭＴＣの長さは６ミリ秒に規定される。
【００４９】
伝統的なＣＲＳ測定を両立するために、ＤＲＳとＣＲＳ測定配置は同時にＵＥに配置されて、ＵＥは２種の測定を並列に実行できる。ＲＡＮ２についての最新の議論では、ＣＲＳに基づく測定とＤＲＳに基づく測定は直接に比較されることができて、或いは一定の変換を介して比較可能になる（ＤＲＳ信号にＣＳＩ−ＲＳを含むかどうかによって決まる）。
【００５０】
また、ＤＲＳ測定配置信号が送信されると、ＵＥは、自分がＤＲＸ（Ｄｉｓｃｏｎｔｉｎｕｏｕｓ  Ｒｅｃｅｐｔｉｏｎ：非連続受信）に位置するかどうかに関わらず、継続にＤＲＳ測定を実行する。ＤＲＳ探測プロセス及びＲＲＭ測定プロセスはオンまたは休眠のセルにおけるＵＥに配置されてもいい。
【００５１】
以上、小セルオン／オフ技術に相関する内容を紹介した。次に、本開示が直面する技術課題を紹介する。
【００５２】
研究を通じて分かるように、ＯＴＤＯＡ技術を使用すると、ＵＥはまず測位サーバーから提供した隣接セルリスト情報（Ｎｅｉｇｈｂｏｕｒ  Ｃｅｌｌ  Ｉｎｆｏ  ｌｉｓｔ）を取得する必要があり、そして、ＵＥはリストにおけるセルとサービングセルとのＲＳＴＤを測定し、ひいては、測位サーバーに報告することでＵＥ測位を実現する。しかしながら、３ＧＰＰは、この前に、省エネルギー及び小セル間の干渉を削減する目的を達成するように、小セルのオン／オフ技術を提出している。従って、室内に測位する必要があるＵＥが多い場合、ＵＥに必要する適切な測定基地局はオフ状態にある恐れがある。現在の標準では、オフ状態にある基地局はＰＲＳを送信しないので、ＵＥは測定できない。セル基地局は優先に測定されるセルとするが、オフ状態になると、一部のＵＥの測位正確度が大きく低下して、ＯＴＤＯＡを使用して測位できない。
【００５３】
この場合に対して、本開示はＤＲＳを参照信号としてＲＳＴＤを測定したい。しかしながら、ＤＲＳを参照信号とすると、いくつかの問題をもたらす。
【００５４】
例えば、伝統的なＤＲＳを利用して測定する時、隣接セルのＤＲＳに対して信号対雑音比が低すぎるので測定精度の不正確又は測定できないことになる可能性がある。従って、ＤＲＳに基づくＯＴＤＯＡ技術はより良い測定精度に達するように、ＤＲＳを強化する必要がある。
【００５５】
次に、ＤＲＳのサイクル（４０、８０又は１６０ｍｓ）はＰＲＳのサイクル（１６０、３２０、６４０又は１２８０ｍｓ）に比べて短いので、各ＤＲＳに対していずれも強化すると、ＤＲＳの間の干渉を増大する恐れがあり、ＤＲＳの測定可能性が低下する。従って、好ましくは、ＤＲＳの間の干渉を削減して、測定の正確度を向上するように、強化型ＤＲＳに調整メカニズムを導入する必要がある。
【００５６】
同時に、強化型ＤＲＳの送信タイミングについて、ある場合には、強化型ＤＲＳを送信しなくても、良いＲＳＴＤ測定結果を取得できるので、研究する価値がある。そして、強化型ＤＲＳを送信しないことは、省エネルギーに寄与する。従って、好ましく、強化型ＤＲＳのオン及びオフ条件を設計してもいい。
【００５７】
ＤＲＳをＲＳＴＤ測定の参照信号とする時、ＵＥの測定を保証するように、ネットワーク側はＵＥへ対応する補助情報を提供する必要がある。
【００５８】
なお、ＤＲＳ自身もセルディスカバリーに基づく測定信号として、強化したＤＲＳ信号は伝統的なＤＲＳ信号に影響する恐れがある。例えば、セルディスカバリーに基づく測定結果が不正確になり、誤ったイベント報告を生成することをもたらす。従って、好ましくは、測定した強化型ＤＲＳ信号と伝統的なＤＲＳ信号の信号強度（ＲＳＲＰ）を比較できるように、強化型ＤＲＳ信号測定結果を補正してもいい。
【００５９】
本開示には、屋内測位の場合に対して、強化型ＤＲＳ（ｅＤＲＳ）に基づくＯＴＤＯＡ屋内測位技術案を提出して、小セルオン／オフ技術とＯＴＤＯＡ技術の両立性問題を解決することで、より良い屋内測位効果を実現することが意図される。
【００６０】
図１には本開示の実施例に係る無線通信システムにおける電子機器１００の構成を示している。図１に示すように、電子機器１００は処理回路１１０を含んでもいい。なお、電子機器１００は一つの処理回路１１０を含んでも良く、複数の処理回路１１０を含んでもいい。また、電子機器１００は通信ユニット１２０等を含んでもいい。
【００６１】
さらに、処理回路１１０は、様々な異なる機能及び／又は操作を実行するように、様々な別個の機能ユニットを含んでもいい。なお、これらの機能ユニットは物理的なエンティティ又は論理エンティティであってもよく、そして異なる名前のユニットは同一物理的なエンティティによって実現できる。
【００６２】
例えば、図１のように、処理回路１１０は確定ユニット１１１、測定ユニット１１２及び生成ユニット１１３を含むことができる。
【００６３】
確定ユニット１１１はＵＥための測位測定補助データを確定できる。ここで、補助データは少なくとも一つの休眠小セル基地局から送信したｅＤＲＳの配置情報を含むことができる。
【００６４】
測定ユニット１１２は補助データに基づいて少なくとも一つの休眠小セル基地局から送信したｅＤＲＳに対して測位測定を行うことができる。
【００６５】
生成ユニット１１３は少なくとも一つの休眠小セル基地局から送信したｅＤＲＳに対して測位測定を行った結果に基づいて測位情報を生成することで、ＵＥを測位することができる。ここで、ｅＤＲＳはＤＲＳより大きい送信パワーを有するので、ＵＥが測位するために十分な隣接セルを検出することが保証できる。
【００６６】
本開示の実施例に係る電子機器１００を使用して、休眠小セル基地局から送信したｅＤＲＳに対して測位測定を行った結果に基づいて測位情報を生成することで、ＵＥを測位することができる。このように、オフ状態にある基地局はＰＲＳを送信しなくても、休眠小セル基地局から送信したｅＤＲＳを利用して測位することで、既存のシステム作業モードを大幅に影響する必要しない場合には、小セルオン／オフ技術とＯＴＤＯＡ技術との両立性問題を解決して、より良い屋内測位効果を実現した。ある例において、ｅＤＲＳとＤＲＳキャリアの情報は同じであるように理解されるので、ｅＤＲＳを特定の状態（例えば、高いパワーで転送する）でのＤＲＳと見なし、例えば、伝統的なＤＲＳが第１状態のＤＲＳに表現されて、ｅＤＲＳが第２状態のＤＲＳに表現されて、ｅＤＲＳ／ＤＲＳの変換についてＤＲＳの送信状態の変換に理解されることができる。表現の便宜上、以下では、ＤＲＳは伝統的なＤＲＳを指す。
【００６７】
本開示の好ましい実施例によれば、補助データは第１の休眠小セル基地局から送信したｅＤＲＳの配置情報及び他の二つのセル基地局から送信した測位測定するための参照信号の配置情報を含むことができる。さらに、処理回路１１０（例えば、測定ユニット１１２）は補助データに基づいて第１の休眠小セル基地局から送信したｅＤＲＳ及び他の二つのセル基地局から送信した参照信号に対して測位測定を行い、且つ、（例えば、生成ユニット１１３）測定結果によってＲＳＴＤを算出することで測位情報を生成することができる。
【００６８】
本開示の好ましい実施例によれば、以上に言及した他の二つのセル基地局及び第１の休眠小セル基地局のうちの一つは測位参照セル基地局であってもよく、残りの二つは測位に参与する隣接セル基地局であっても良い。さらに、処理回路１１０（例えば、確定ユニット１１１）は、補助データのうち隣接セル基地局の参照信号と参照セル基地局の参照信号との間のオフセット情報を読み取り、且つ（例えば、測定ユニット１１２）オフセット情報に基づいて測定することができる。
【００６９】
本開示の好ましい実施例によれば、以上に言及した他の二つのセル基地局のうち少なくとも一つはアクティブセル基地局であり、且つこのアクティブセル基地局の参照信号はＰＲＳである。このアクティブセル基地局は小セル基地局であってもよく、マクロセル基地局であっても良い。さらに、処理回路１１０（例えば生成ユニット１１３）はｅＤＲＳ及びＰＲＳの測定結果に基づいてＲＳＴＤを算出することができる。
【００７０】
本開示の好ましい実施例によれば、ｅＤＲＳの配置情報はｅＤＲＳのパワー構成、帯域幅、サイクル、時間オフセット及びサイレント情報のうち少なくとも一つを含むことができる。ここで、ｅＤＲＳのサイクルはＤＲＳサイクルの１より大きい整数倍であっても良い。上記配置情報は、ある例において、基地局等のネットワーク機器により電子機器１００に提供する。例えば、ｅＤＲＳのパワー構成、帯域幅、サイクル、時間オフセット及びサイレント情報における一つ又は複数のものはシステムデフォルト（例えば、具体的な数値を設置する、或いは、ルールを確定する）の場合には、電子機器１００はあらかじめ記憶している設定を読み取ってこれらの配置情報を取得する。ここで、ｅＤＲＳのパワー構成は、例えば、パワーレベル又はＤＲＳに対するパワー補償等であってもいい。
【００７１】
本開示の好ましい実施例によれば、ｅＤＲＳの配置情報は、更に、ｅＤＲＳを送信するための少なくとも一つの休眠小セル基地局のセル基地局識別情報、周波数情報、アンテナポート配置情報及び巡回プレフィックス長情報のうち少なくとも一つを含むことができる。
【００７２】
本開示の実施例によれば、好ましくはまたは代わりに、処理回路１１０（例えば、測定ユニット１１２）は、ＵＥが位置する無線環境におけるＤＲＳに対して無線リソース管理測定を行うことで、隣接する休眠小セル基地局を発見することができる。当業者は、処理回路１１０は以上に言及したＵＥを測位する機能だけを有してもよく、ここで言及した隣接する休眠小セル基地局を発見する機能だけを有してもよく、あるいは、この二つの機能を有しても良いように理解できる。
【００７３】
電子機器１００はＤＲＳに基づいて隣接する休眠小セル基地局を発見する必要がある場合、ｅＤＲＳの導入は電子機器１００の小セルディスカバリー結果を影響する恐れがある。従って、処理回路１１０（例えば、識別ユニット、図示せず）は測定した信号強度に基づいてｅＤＲＳを識別できて、そして（例えば、補正ユニット、図示せず）はｅＤＲＳの識別に応答して小セルディスカバリーを補正できる。具体的には、処理回路１１０は測定した信号強度をデフォルト閾値に比べて、ｅＤＲＳを識別してもいい。或いは、処理回路１１０は測定した信号強度を現在の測定した他のセルＤＲＳの信号強度に比べて、差が予定の範囲を超えた場合、ｅＤＲＳと識別してもいい。或いは、処理回路１１０は測定した信号強度をＤＲＳの履歴信号強度（例えば、平均値）に比べてｅＤＲＳを識別してもいい。
【００７４】
本開示の好ましい実施例によれば、処理回路１１０（例えば、補正ユニット）が小セルディスカバリーを補正することは、無線リソース管理測定結果を確定するときにｅＤＲＳを無視することを含むことができる。代わりに、無線リソース管理測定結果を確定するとき、ｅＤＲＳの前の一つの隣接するＤＲＳを使用してｅＤＲＳに代わってもいい。また、ｅＤＲＳの受信パワーからｅＤＲＳとＤＲＳの送信パワーの差値を引いてもいい。
【００７５】
なお、本開示の実施例によれば、前記のような無線通信システムはＬＴＥ−Ａ（Ｌｏｎｇ  Ｔｅｒｍ  Ｅｖｏｌｕｔｉｏｎ−Ａｄｖａｎｃｅｄ：シニアロングタームエボリューション）セルラー通信システムであってもよく、電子機器１００は無線通信システムにおけるＵＥ（例えば、上記の測位されたＵＥ）であってもよく、そして電子機器１００は通信ユニット１２０等を含んでもいい。通信ユニット１２０は、例えばエアインタフェースによってネットワーク機器から測位測定補助データを受信すること、及び／又は、ネットワーク機器に測位情報を送信することができる。
【００７６】
以上、無線通信システムにおけるＵＥ側の電子機器を説明した。次に、無線通信システムにおける基地局側の電子機器について詳しく説明する。図２には本開示の実施例に係る無線通信システムにおける電子機器２００の構成を示している。
【００７７】
図２に示すように、電子機器２００は処理回路２１０を含んでもいい。なお、電子機器２００は一つの処理回路２１０を含んでも良く、複数の処理回路２１０を含んでもいい。また、電子機器２００は、さらに、通信ユニット２２０等を含んでもいい。
【００７８】
以上に言及したように、同様に、処理回路２１０は様々な異なる機能及び／又は操作を実行するように、様々な別個の機能ユニットを含んでもいい。これらの機能ユニットは物理的なエンティティ又は論理エンティティであってもよく、そして異なる名前のユニットは同一物理的なエンティティにより実現される可能性がある。
【００７９】
図２に示すように、処理回路２１０は確定ユニット２１１とパワー制御ユニット２１２とを含んでいい。
【００８０】
確定ユニット２１１は制御装置からのｅＤＲＳの送信配置情報を確定することができる。
【００８１】
パワー制御ユニット２１２は配置情報に基づいて小セル基地局が管理する小セルのＤＲＳに対してパワー制御を行うことで、ｅＤＲＳを生成することができる。ここで、ｅＤＲＳはＤＲＳより大きい送信パワーを有する。
【００８２】
好ましくは、以上に言及した配置情報は送信パワーの強化値指示及び送信サイクルを含むことができる。ここで、送信パワーの強化値指示は送信パワー自身、或いは、ただ余分な強化値（例えば、ＤＲＳに対するパワー補償である）を含むことができる。さらに、処理回路２１０（例えば、パワー制御ユニット２１２）は、送信サイクルに基づいてＤＲＳの送信パワーを強化することで、この送信サイクルを有するｅＤＲＳ信号を生成することができる。
【００８３】
好ましくは、ｅＤＲＳの送信サイクルはＤＲＳの送信サイクルのｎ倍であっても良く、ただし、ｎは１より大きい整数である。これによって、小セルディスカバリーの需要を満たすとともに、ｅＤＲＳの他のＤＲＳに対する干渉を軽減しある程度でエネルギーを節約することができる。
【００８４】
好ましくは、以上に言及した配置情報は、さらに、時間オフセットを含んでもいい。例えば、ＵＥのために各周波数で一つのｅＤＲＳ測定時間配置（ｅＤＭＴＣ）を配置し、サイクルはＤＭＴＣの１より大きい整数倍であり、時間オフセットはどのＤＭＴＣからｅＤＲＳを送信するかを指示する。さらに、処理回路２１０（例えば、パワー制御ユニット２１２）は、時間オフセットに基づいて各ｅＤＭＴＣサイクル内の相応するＤＲＳの送信パワーを強化することができる。これによって、同一ＤＭＴＣ内に、できるだけｅＤＲＳを送信する基地局を削減して干渉を低下することができる。
【００８５】
なお、本開示の実施例によれば、前記のような無線通信システムはＬＴＥ−Ａセルラー通信システムであってもいい。電子機器２００は無線通信システムにおける小セル基地局（例えば、ｅＤＲＳを送信する小セル基地局）であり、且つ電子機器２００は、さらに、エアインタフェースによってｅＤＲＳを送信するように、送受信機（例えば、通信ユニット２２０）を含んでもいい。
【００８６】
以上、無線通信システムにおけるｅＤＲＳの配置／送信を実行するための基地局側の電子機器を説明した。次に、無線通信システムにおける例えば電子機器２００に集中制御を提供する電子機器について詳しく説明する。図３には本開示の他の実施例に係る無線通信システムにおける電子機器３００の構成を示している。
【００８７】
図３に示すように、電子機器３００は処理回路３１０を含んでもいい。なお、電子機器３００は一つの処理回路３１０を含んでも良く、複数の処理回路３１０を含んでもいい。又は、電子機器３００は、さらに、通信ユニット３２０等を含んでもいい。
【００８８】
以上に言及したように、同様に、処理回路３１０は様々な異なる機能及び／又は操作を実行するように、様々な別個の機能ユニットを含んでもいい。これらの機能ユニットは物理的なエンティティ又は論理エンティティであってもよく、そして異なる名前のユニットは同一物理的なエンティティにより実現される可能性がある。
【００８９】
図３に示すように、処理回路３１０は確定ユニット３１１と生成ユニット３１２とを含むことができる。
【００９０】
予定地理的領域内の測位待ちのＵＥの数と位置のうち少なくとも一つに基づいて、確定ユニット３１１はＵＥを測位するように、予定地理的領域内の少なくとも一つの休眠小セル基地局をオンしてｅＤＲＳを送信するかどうかを確定することができる。
【００９１】
生成ユニット３１２は確定した結果に基づいて対応する休眠小セル基地局ためのｅＤＲＳの送信配置情報を生成することができる。ここで、ｅＤＲＳはＤＲＳより大きい送信パワーを有する。
【００９２】
好ましくは、以上に言及した予定地理的領域内の隣接する休眠小セル基地局がｅＤＲＳを送信する時間は、互いに異なっていてもよい。
【００９３】
好ましくは、以上に言及した予定地理的領域内の小セル基地局の間のｅＤＲＳとＤＲＳの干渉状況に基づいて、処理回路３１０（例えば、確定ユニット３１１）は予定地理的領域内の少なくとも一つの休眠小セル基地局がｅＤＲＳを送信することを停止するかどうかを確定してもいい。
【００９４】
好ましくは、以上に言及した予定地理的領域内の休眠小セル基地局の数及び各休眠小セル基地局の被覆範囲のうちの少なくとも一つに基づいて、処理回路３１０（例えば、生成ユニット３１２）は予定地理的領域内の各休眠小セル基地局にｅＤＲＳの送信パラメータを配置してもいい。
【００９５】
好ましくは、以上に言及したｅＤＲＳの送信パラメータは送信パワーを含んでもいい。さらに、処理回路３１０（例えば、生成ユニット３１２）は、ｅＤＲＳの送信パワーがＤＲＳの送信パワーに対する強化値を、予定地理的領域内の休眠小セル基地局の数の増加に従って低下する、及び／又は、休眠小セル基地局の被覆範囲の増加に従って増加するように配置してもいい。
【００９６】
好ましくは、以上に言及したｅＤＲＳの送信パラメータは送信サイクルを含んでもいい。さらに、処理回路３１０（例えば、生成ユニット３１２）は、送信サイクルを、予定地理的領域内の休眠小セル基地局の数の増加に従って増加する（つまり、延長する）ように配置してもいい。
【００９７】
好ましくは、ｅＤＲＳの送信サイクルはＤＲＳの送信サイクルのｎ倍であっても良く、ただし、ｎは１より大きい整数である。
【００９８】
好ましくは、以上に言及したｅＤＲＳの送信パラメータは、さらに、送信サイクル内の送信モードを含んでもいい。さらに、処理回路３１０（例えば、生成ユニット３１２）は、予定地理的領域内の異なる休眠小セル基地局に異なる時間オフセットを有する異なる送信モードを配置してもいい。
【００９９】
なお、本開示の実施例によれば、前記のような無線通信システムはＬＴＥ−Ａセルラー通信システムであってもいい。電子機器３００は無線通信システムにおけるマクロ基地局であってもいい。以上に言及した予定地理的領域はマクロ基地局の被覆範囲であり、且つ電子機器３００は、さらに、対応する休眠小セル基地局へｅＤＲＳの送信配置情報を送信するように、送受信機（例えば、通信ユニット３２０）を含んでもいい。代わりに、電子機器３００はコアネットワークにおける測位サーバーであってもいい。
【０１００】
以上、図１〜図３に基づいて本開示の実施例に係る無線通信システムにおける電子機器を概略的に説明した。次に、具体的な実施例に基づいて、本開示の技術案をより詳しく説明する。
【０１０１】
まず、休眠小セル基地局がｅＤＲＳを送信するスイッチング条件について説明する。
【０１０２】
例えば、被覆範囲（即ち、管理範囲）ごとに小セル基地局を有するマクロ基地局（又は、測位サーバー）は、一つのカウンタを維持できて、このカウンタは一つの二次元の数（ｐ，ｂ）を維持する。ｐは一つの事前定義された長さの時間ウィンドウ内にマクロ基地局により被覆された範囲での全ての測位する必要があるＵＥの数（マクロ基地局により被覆された範囲での小セルによりサービスされるＵＥを含む）を統計する。ｂはｅＤＲＳが送信されたかどうかを示す。ｂは１である時、このマクロ基地局により被覆される範囲での小セルはｅＤＲＳを送信する。ｂは０である時、このマクロ基地局により被覆される範囲での小セルはｅＤＲＳを送信しない。
【０１０３】
オン条件について、本開示の一つの例では、休眠基地局がｅＤＲＳを送信するエントリ条件は測位する必要があるＵＥの数によって決まる。
【０１０４】
ｐは一つの事前定義された上限ｐｈより大きく、ｂは０である時、マクロ基地局（或いは、測位サーバー）はｂを１に修正し、Ｘ２インタフェース（Ｓ１インタフェース）によって被覆範囲内の全ての小セル基地局へｅＤＲＳ配置情報を送信する。このマクロ基地局の被覆範囲での休眠小セル基地局はこのシグナリングを受信した次の信号サイクルから、ｅＤＲＳ信号を送信する。ただし、このマクロ基地局はネットワーク配備状況に応じてｅＤＲＳのサイクルを設置する。
【０１０５】
オフ条件について、休眠小セル基地局はｅＤＲＳ送信状態から脱退する脱退条件は、主に次の２種類に分ける。
【０１０６】
ｐは一つの事前定義された下限ｐｌより低く、ｂは１である。
【０１０７】
セルの間の干渉状況が大きく、ｂは１である。
【０１０８】
なお、セルの間の干渉状況は、小セル基地局がＵＥのＤＲＳ測定によって隣接セルＤＲＳの干渉情報を報告するように表現できる。マクロセルの被覆範囲内で期間内に大量のＵＥが基地局へ測定したＤＲＳに大きい干渉があると報告すると、このマクロセルの被覆範囲での小セル基地局はｅＤＲＳ信号を送信することを停止しなければならなく、ＤＲＳ信号を送信する。
【０１０９】
本開示の他の例では、休眠基地局がｅＤＲＳを送信するエントリ条件は、測位する必要があるＵＥの位置によって決まる。例えば、まず、測位待ちのＵＥの概略の位置を確定する。具体的には、例えばＵＥのアップリンク方向到着角度、時間アドバンス等の従来技術によってＵＥのおおよその位置を確定する。そして、当該ＵＥの隣接セルのうち高い優先順位を有するセルが休眠状態にあるかどうかを確定する。休眠状態にあると、測位測定を行うように、対応する休眠セルにｅＤＲＳ配置情報を送信することで、ｅＤＲＳを送信するように要求する。例えば、このＵＥについての測位を完了した後（例えば、所定の時間が経過した後）、休眠セルにｅＤＲＳ送信状態から脱退するように通知する。
【０１１０】
次に、ｅＤＲＳ配置方法について詳しく説明する。
【０１１１】
本開示に言及したｅＤＲＳはオリジナルのＤＲＳに対して屋内測位シーン下での強化であり、ｅＤＲＳのサイクル、測定等の情報を再び配置する必要がある。
【０１１２】
ｅＤＲＳの特徴はＤＲＳに対してパワーについての周期的に強化を行うことにある。なお、例えばパワー強化の数値サイズは、マクロ基地局（或いは、測位サーバー）によりｅＤＲＳをオンするセル数量及び被覆範囲等の要因によって粗調整して、そして対応するセルに送信し、各セルはまたその被覆範囲の大小によって微調整する。被覆範囲が大きいほど、強化するパワーが大きい。粗調整に考えられる要因はｅＤＲＳをオンするセルの数量とマクロセル被覆範囲での測位待ちのＵＥ数量を含む。
【０１１３】
ｅＤＲＳをオンするセルの数量が多いほど、強化するパワーが小さく、セルの数量と強化するパワーはｅを底とする対数関係にある。
【０１１４】
マクロセル被覆範囲での測位待ちのＵＥ数量が多いほど、強化するパワーが大きい。
【０１１５】
ｅＤＲＳの送信サイクルはＤＲＳの送信サイクルのｎ倍（ｎは１より大きい整数）であってもよく、マクロ基地局（或いは、測位サーバー）は実際状況によって確定してもいい。そして、例えばＸ２シグナリングによって対応するセルに送信する。考えられる要因は次のことを含む。
【０１１６】
ネットワークが集中に配備されて、ｅＤＲＳをオンするセルが増加するとき、ｎはそれに対応して増加することで、ｅＤＲＳが他の信号に対する干渉を削減することができる。
【０１１７】
ＤＲＳを強化した後、特に、二つの隣接セルは同時にｅＤＲＳを送信するとき、隣接セルの間の干渉も強化することをもたらす。そこで、本開示に一つの調整メカニズムを設計して、干渉を削減するように、隣接セルの間のｅＤＲＳを時間的に互いにずらす。
【０１１８】
ｅＤＲＳの送信サイクルはＤＲＳの送信サイクルのｎ倍である場合、ｎ＋１の種類の互いに衝突しない配置モードがある。説明を容易にするために、本文ではＤＲＳを送信する時刻を「０」に表記して、ｅＤＲＳを送信する時刻を「１」に表記する。このように、ｎ＝４の配置モードは、「００００」、「０００１」、「００１０」、「０１００」及び「１０００」を含む。「１」の配置モードにおける位置によって異なるモードを記録できる。「１」は左から第１位にある場合、モードを１に表記し、これによって類推して、１は左から第ｎ位にある場合、モードをｎに表記し、配置モードに「１」がない場合、０に表記する。
【０１１９】
一つの小セルクラスターにおけるｍ個のセルにｅＤＲＳ送信モードを配置する必要があるとき、測位サーバーが各セルの優先順位によってｅＤＲＳを配置する必要がある各セルに特定のｅＤＲＳ配置モードを送信する。測位サーバーは一つのリストを維持して、一つのｅＤＲＳサイクルにおいて各セルのｎｅｉｇｈｂｏｕｒ  ｃｅｌｌ  ｉｎｆｏ  ｌｉｓｔの最初の三つのセルに出現する数量ｘによって、各セルの優先順位を統計する。各セルｘの値が大きいほど、その優先順位が高い。セルのｘが同じ場合、セルのＰＣＩが大きいほど、優先順位が高い。
【０１２０】
次に、二つの状況に分けてｅＤＲＳの配置モードを議論する。
【０１２１】
ｍ≦ｎ場合、小セルクラスターにおけるセルの優先順位が高い順から、１，２，…，ｍを順番に割り当てる。
【０１２２】
ｍ＞ｎ場合、各セルの優先順位が高い順から、１，２，…，ｎ，０，０，…を順番に割り当てる。なお、０の数はｍ−ｎである。配列ａ＝｛１，２，…，ｎ，０，０，…｝であり、一つのｅＤＲＳサイクルを経た度に、ａを右へｍ−ｎ位をシフトすることで、各セルはｅＤＲＳを送信できることを保証する。
【０１２３】
マクロ基地局（或いは、測位サーバー）はｍ、ｎ及び各セルのｅＤＲＳ配置モードを各セルに送信し、各セルは以上のルールによってその各サイクルのｅＤＲＳ送信モードを算出することができる。
【０１２４】
図４にｍ＝３、ｎ＝３の時のｅＤＲＳ配置モードを示している。図４に示すように、隣接する小セル基地局１と、小セル基地局２と、小セル基地局３との間のｅＤＲＳ送信は時間的にオフセットされることで、干渉を削減した。
【０１２５】
ｅＤＲＳ測定配置は測定配置テーブルのように示すことができる。
【０１２６】
例えば、ｅＤＲＳに関するＯＴＤＯＡ補助データは次の二つの要素を含む。
【０１２７】
１．ＯＴＤＯＡ  Ｒｅｆｅｒｅｎｃｅ  Ｃｅｌｌ  Ｉｎｆｏ（ＯＴＤＯＡ参照セル情報）：この要素には参照セルのパラメータを含み、ＯＴＤＯＡ隣接セルリストにおけるパラメータはこの要素によって設置される。
【０１２８】
２．ＯＴＤＯＡ  Ｎｅｉｇｈｂｏｕｒ  Ｃｅｌｌ  Ｉｎｆｏ（ＯＴＤＯＡ隣接セル情報）：この要素には各隣接セルのパラメータを含み、且つ測定優先順位の降順に応じて、順番はマクロ基地局又は測位サーバーにより確定され、ＵＥはネットワーク側から提供した順番に応じてＲＳＴＤの測定を行う。
【０１２９】
本発明の一つの設計例によれば、ｅＤＲＳに関するＯＴＤＯＡ  Ｒｅｆｅｒｅｎｃｅ  Ｃｅｌｌ  ＩｎｆｏとＯＴＤＯＡ  Ｎｅｉｇｈｂｏｕｒ  Ｃｅｌｌ  Ｉｎｆｏは、３ＧＰＰ（３ｒｄ  Ｇｅｎｅｒａｔｉｏｎ  Ｐａｒｔｎｅｒｓｈｉｐ  Ｐｒｏｊｅｃｔ：第三世代パートナーシッププロジェクト）規格の「ＰｒｏｖｉｄｅＡｓｓｉｓｔａｎｃｅＤａｔａ」メッセージに含まれて、「ＰｒｏｖｉｄｅＡｓｓｉｓｔａｎｃｅＤａｔａ」メッセージと「ＲｅｑｕｅｓｔＡｓｓｉｓｔａｎｃｅＤａｔａ」メッセージは「ＬＰＰ  ｍｅｓｓａｇｅ」に含まれる。３ＧＰＰ  ＴＳ  ２４．１７１によって、「ＬＰＰ  ｍｅｓｓａｇｅｓ」は「Ｕｐｌｉｎｋ／Ｄｏｗｎｌｉｎｋ  Ｇｅｎｅｒｉｃ  ＮＡＳ  Ｔｒａｎｓｐｏｒｔ  ｍｅｓｓａｇｅ」により送信されて、つまり、「ＬＰＰ  ｍｅｓｓａｇｅｓ」はＮＡＳプロトコルに含まれる。
【０１３０】
ＯＴＤＯＡ  Ｒｅｆｅｒｅｎｃｅ  Ｃｅｌｌ  Ｉｎｆｏ要素には、参照セルのマーク、ｅＤＲＳ配置情報等を含む。表１に示すように、「Ｍ」はこの要素が測定情報に必ず出現すること、「Ｏ」はこの要素が測定情報に出現するかどうかを選択できること、「Ｃ」はこの要素がある条件下で測定情報に出現し、その条件はこの要素ついての定義において説明されることを示す。
【表１】
0006652138.tif 000002
【０１３１】
ＯＴＤＯＡ  Ｎｅｉｇｈｂｏｕｒ  Ｃｅｌｌ  Ｉｎｆｏ要素は各隣接セルのマーク、ｅＤＲＳ配置情報、ＲＳＴＤ測定ウィンドウ等を含み、表２のように示す。隣接セル情報リストに最大限７２個のセルの情報を含むことができる。
【表２】
0006652138.tif 000003
【０１３２】
ｅＤＲＳの具体的なパラメータは表４のように示す。
【表３】
0006652138.tif 000004
【０１３３】
基地局はｅＤＲＳを送信する時、ＵＥはそれを測定することになる。測定結果について、ＯＴＤＯＡ測位の測定と小セルディスカバリーの測定に用いられる。次に、この二つの測定イベントを研究する。
【０１３４】
ＯＴＤＯＡ測位に用いられる場合、測位サーバーが基地局によってＵＥに送信したＯＴＤＯＡ−ＮｅｉｇｈｂｏｕｒＣｅｌｌＩｎｆｏリストにおけるセルはｅＤＲＳを送信していると、リストにおける補助情報はＤＲＳサブフレームオフセットとｅＤＲＳ  Ｉｎｆｏを含む。ＵＥはこれらの情報によって対応するセルのｅＤＲＳ信号を測定する。ｅＤＲＳとｅＤＲＳ、ＰＲＳとｅＤＲＳの間のＲＳＴＤ算出について、ＵＥは検出した二つの測位信号（ｅＤＲＳとｅＤＲＳ又はＰＲＳとｅＤＲＳ）の間の時間差によって、ＲＳＴＤ値として測位サーバーにより算出される。例えば、測位信号が同期しない場合、サーバーには各測位信号の配置送信時間を記録しており、ＵＥにより報告したＲＳＴＤ値を処理し実際の受信時間差を取得する。一つの例では、二つの測位信号が同期送信するように配置されると、ＵＥは検出した二つの測位信号の間の時間差から１ｍｓの整数倍を引くことで、時間差が１ｍｓより小さいようにする。これは、室内シーン下で、二つの測位信号の間の時間差は１ｍｓより大きい（つまり、距離は３００ｍより大きい）可能性がないからである。同時に、測定結果（ＲＳＴＤ）をサービス基地局に介して測位サーバーに報告する。
【０１３５】
小セルディスカバリーに用いられる場合、ＵＥは参照信号を測定する場合、ｅＤＲＳ信号は必ずＤＲＳ信号を影響する。ｅＤＲＳパワーは伝統的なＤＲＳ信号より一定のオフセット値だけ大きいので、測定したｅＤＲＳとＤＲＳの信号強度が比較できて、小セルディスカバリーに影響しないために、ＵＥ測定の参照信号がＬ３フィルタに進む前に、ＵＥ側においてｅＤＲＳ信号を検出し、ｅＤＲＳ検出結果を補正する必要がある。
【０１３６】
ＵＥはあるセルの二つの連続したＤＲＳのＲＳＲＰ測定結果のばらつきが一定の閾値ΔＰより大きいことを検出した時、ＵＥはｅＤＲＳ信号を検出したと見なし、ｅＤＲＳを補正するトリガーイベントＡｊはトリガーされる。ＵＥは大きいＤＲＳ測定結果を補正する。なお、閾値ΔＰは、このセルｅＤＲＳとＤＲＳのパワーの差と正相関になる。
【０１３７】
ｅＤＲＳを補正するトリガーイベントＡｊがトリガーされる時、次の方法でｅＤＲＳ検出結果を補正する。
【０１３８】
このｅＤＲＳ信号の測定結果を無視して、Ｌ３フィルタの入力としない。
【０１３９】
前の一つの非強化のＤＲＳサンプル値をこの時刻のサンプル値の入力とする。
【０１４０】
この時刻に増加したＤＲＳ信号パワーを引いた後、Ｌ３フィルタの入力とする。
【０１４１】
次に、さらに、図５〜図７に基づいて本開示の実施例に係る無線通信システムにおける基地局側とユーザ側の間の信号の相互作用の流れを詳しく説明する。
【０１４２】
図５は本開示の実施例に係る無線通信システムにおいて無線通信を行うための方法を示すシーケンス図である。図５において測位サーバーを制御センターとする。
【０１４３】
図５に示すように、先ず、測位サーバーはカウンタ（ｐ，ｂ）の周期的な統計を維持し、ｅＤＲＳをオンするかどうかを決定することができる。
【０１４４】
次に、測位サーバーはマクロ基地局にｅＤＲＳ配置補助情報を提供するように要求することができる。
【０１４５】
測位サーバーからの要求を受信した後、マクロ基地局は測位サーバーへそのｅＤＲＳ配置補助情報を提供することができる。
【０１４６】
次に、測位サーバーは、オン／オフセル数、セル被覆範囲、単一の小セル内の測位する必要があるＵＥの数等の条件によってｅＤＲＳ情報を配置することができる。
【０１４７】
次に、測位サーバーは、ｅＤＲＳパワー、サイクル及び各セルのｅＤＲＳ配置情報を、対応する小セル基地局に送信することができる。
【０１４８】
そして、小セル基地局は配置によってｅＤＲＳ信号を送信することができる。
【０１４９】
その間に、ＵＥは測位需要を生成する時、その現在のサービス基地局、例えばマクロ基地局に測位補助データ信号（データ形式）を要求することができる。マクロ基地局は測位サーバーに測位補助データ信号を要求することができる。なお、測位需要はＵＥにより発起されてもよく、ＵＥのサービス基地局又は測位サーバー自身により発起されてもいい。ネットワーク側により発起されると、ＵＥにより要求される必要がなくて、直接的にネットワーク側から補助データを送信し、且つネットワーク側はＵＥ位置を算出した後、必ずＵＥへ具体的な測位結果をフィードバックするとは限らない。
【０１５０】
次に、測位サーバーはマクロ基地局へ測位補助データを送信することができる。そして、マクロ基地局はＵＥへ測位補助データ（データ形式）を送信することができる。
【０１５１】
そして、ＵＥはｅＤＲＳ、ＰＲＳを測定しＲＳＴＤ値を算出することができる。
【０１５２】
次に、ＵＥはマクロ基地局へＲＳＴＤ値（データ形式）を送信することができる。そして、マクロ基地局は測位サーバーへＲＳＴＤ値を送信することができる。
【０１５３】
次に、測位サーバーはＵＥ位置を算出し、そして、算出したＵＥ位置情報をマクロ基地局に送信することができる。そして、マクロ基地局はＵＥ位置情報を対応するＵＥ（データ形式）に送信することができる。このように、ＵＥ測位を実現した。
【０１５４】
また、測位サーバーは、さらに、（ｐ，ｂ）の値によってｅＤＲＳ信号の送信を停止することを決定することができる。その後、測位サーバーは小セル基地局へｅＤＲＳ信号送信停止シグナリングを送信することができる。このシグナリングを受信した後、小セル基地局はｅＤＲＳの送信を停止することができる。
【０１５５】
図６は本開示の他の実施例に係る無線通信システムにおいて無線通信を行うための方法を示すシーケンス図である。図６において、マクロ基地局を制御センターとする。
【０１５６】
図６に示すように、ＵＥと小セル基地局との間に、ＲＲＣシグナリングでデータをやりとりし、小セル基地局とマクロ基地局との間にＸ２インタフェースでデータをやりとりする。
【０１５７】
先ず、マクロ基地局はカウンタ（ｐ，ｂ）周期的な統計を維持し、ｅＤＲＳをオンするかどうかを決定することができる。
【０１５８】
次に、マクロ基地局は、オン／オフセル数、セル被覆範囲、単一の小セル内の測位する必要があるＵＥの数等の条件によってｅＤＲＳ情報を配置することができる。
【０１５９】
次に、マクロ基地局はｅＤＲＳパワー、サイクル及び各セルのｅＤＲＳ配置情報を対応する小セル基地局に送信することができる。
【０１６０】
そして、小セル基地局は配置によってｅＤＲＳ信号を送信することができる。
【０１６１】
その間に、ＵＥは測位需要を生成する時、マクロ基地局に測位補助データ信号（ＲＲＣシグナリング形式）を要求することができる。
【０１６２】
次に、マクロ基地局はＵＥへ測位補助データ（ＲＲＣシグナリング形式）を送信することができる。
【０１６３】
そして、ＵＥはｅＤＲＳ、ＰＲＳを測定しＲＳＴＤ値を算出することができる。
【０１６４】
次に、ＵＥはマクロ基地局へＲＳＴＤ値を送信することができる。
【０１６５】
次に、マクロ基地局はＵＥ位置を算出し、そして算出したＵＥ位置情報（ＲＲＣシグナリング形式）を対応するＵＥに送信することができる。このように、ＵＥ測位を実現した。
【０１６６】
また、マクロ基地局は、さらに、（ｐ，ｂ）の値によってｅＤＲＳ信号の送信を停止することを決定することもできる。その後、マクロ基地局は小セル基地局へｅＤＲＳ信号送信停止シグナリングを送信することができる。このシグナリングを受信した後、小セル基地局はｅＤＲＳの送信を停止することができる。
【０１６７】
図７は本開示の他の実施例の無線通信システムにおいて無線通信を行うための方法を示すシーケンス図である。図７においてマクロ基地局と測位サーバーを混合制御センターとする。
【０１６８】
図７に示すように、ＵＥと小セル基地局との間に、必要に応じてＲＲＣシグナリング又はデータ形式でデータやりとりする。
【０１６９】
先ず、マクロ基地局はカウンタ（ｐ，ｂ）周期的な統計を維持し、ｅＤＲＳをオンするかどうかを決定することができる。
【０１７０】
次に、マクロ基地局は測位サーバーへそのｅＤＲＳ配置補助情報を提供することができる。
【０１７１】
次に、測位サーバーはオン／オフセル数、セル被覆範囲、単一の小セル内の測位する必要があるＵＥの数等の条件によってｅＤＲＳ情報を配置することができる。
【０１７２】
次に、測位サーバーはｅＤＲＳパワー、サイクル及び各セルのｅＤＲＳ配置情報を対応する小セル基地局に送信することができる。
【０１７３】
そして、小セル基地局は配置によってｅＤＲＳ信号を送信することができる。
【０１７４】
その間に、ＵＥは測位需要を生成する時、マクロ基地局に測位補助データ信号を要求することができる。そして、マクロ基地局は測位サーバーに測位補助データ信号を要求することができる。
【０１７５】
次に、測位サーバーはマクロ基地局へ測位補助データを送信することができる。そして、マクロ基地局はＵＥへ測位補助データを送信することができる。
【０１７６】
そして、ＵＥはｅＤＲＳ、ＰＲＳを測定しＲＳＴＤ値を算出することができる。
【０１７７】
次に、ＵＥはマクロ基地局へＲＳＴＤ値を送信することができる。そして、マクロ基地局は測位サーバーへＲＳＴＤ値を送信することができる。
【０１７８】
次に、測位サーバーはＵＥ位置を算出し、算出したＵＥ位置情報をマクロ基地局に送信することができる。そして、マクロ基地局はＵＥ位置情報を対応するＵＥに送信することができる。このように、ＵＥ測位を実現した。
【０１７９】
また、測位サーバーは、さらに、（ｐ，ｂ）の値によってｅＤＲＳ信号の送信を停止することを決定することもできる。その後、測位サーバーは小セル基地局へｅＤＲＳ信号送信停止シグナリングを送信することができる。このシグナリングを受信した後、小セル基地局はｅＤＲＳの送信を停止することができる。
【０１８０】
次に、図８を参照して本開示の実施例に係る無線通信システムにおいて無線通信を行うための方法を説明する。
【０１８１】
図８に示すように、ステップＳ８１０では、ＵＥのための測位測定補助データを確定し、前記補助データは少なくとも一つの休眠小セル基地局から送信したｅＤＲＳの配置情報を含む。
【０１８２】
そして、ステップＳ８２０では、補助データに基づいて少なくとも一つの休眠小セル基地局から送信したｅＤＲＳに対して測位測定を行う。
【０１８３】
最後には、ステップＳ８３０では、少なくとも一つの休眠小セル基地局から送信したｅＤＲＳに対して測位測定を行った結果に基づいて測位情報を生成することで、ＵＥを測位する。ここで、ｅＤＲＳはＤＲＳより大きい送信パワーを有する。
【０１８４】
好ましくは、補助データは第１の休眠小セル基地局から送信したｅＤＲＳの配置情報及び他の二つのセル基地局から送信した測位測定するための参照信号の配置情報を含んでもいい。さらに、この方法は、補助データに基づいて第１の休眠小セル基地局から送信したｅＤＲＳ及び他の二つのセル基地局から送信した参照信号に対して測位測定を行い、且つ測定結果によってＲＳＴＤを算出することで、測位情報を生成することも含んでもいい。
【０１８５】
好ましくは、以上に言及した他の二つのセル基地局及び第１の休眠小セル基地局における一つは測位参照セル基地局であってもよく、残りの二つは参与測位の隣接セル基地局であってもよい。さらに、この方法は、補助データのうち隣接セル基地局の参照信号と参照セル基地局の参照信号との間のオフセット情報を読み取り、且つオフセット情報に基づいて測定することを含んでもいい。
【０１８６】
好ましくは、以上に言及した他の二つのセル基地局における少なくとも一つのアクティブセル基地局であってもよく、このアクティブセル基地局の参照信号はＰＲＳであってもいい。さらに、この方法は、ｅＤＲＳ及びＰＲＳの測定結果に基づいてＲＳＴＤを算出することを含んでもいい。
【０１８７】
好ましくは、ｅＤＲＳの配置情報はｅＤＲＳのパワー構成、帯域幅、サイクル、時間オフセット及びサイレント情報のうち少なくとも一つを含み、ただし、ｅＤＲＳのサイクルはＤＲＳサイクルの１より大きい整数倍であってもいい。
【０１８８】
好ましくは、ｅＤＲＳの配置情報は、さらに、少なくとも一つの休眠小セル基地局のセル基地局識別情報、周波数情報、アンテナポート配置情報及び巡回プレフィックス長情報のうち少なくとも一つを含んでもいい。
【０１８９】
好ましくは、この方法は、さらに、ユーザ機器が位置する無線環境におけるＤＲＳに対して無線リソース管理測定を行うことで、隣接する休眠小セル基地局を発見することと、測定した信号強度に基づいてｅＤＲＳを識別し、ｅＤＲＳの識別に応答して小セルディスカバリーを補正することを含んでもいい。
【０１９０】
好ましくは、小セルディスカバリーを補正することは、無線リソース管理測定結果を確定する時、ｅＤＲＳを無視し、ｅＤＲＳの代わりにｅＤＲＳの前の一つの隣接ＤＲＳを使用し、或いはｅＤＲＳの受信パワーからｅＤＲＳとＤＲＳとの送信パワーの差値を引くことを含んでもいい。
【０１９１】
一方、本開示の他の実施例に係る無線通信システムにおいて無線通信を行うための方法は、制御装置からのｅＤＲＳの送信配置情報を確定することと、配置情報に基づいて小セル基地局が管理する小セルのＤＲＳに対してパワー制御を行うことで、ｅＤＲＳを生成し、ただし、ｅＤＲＳはＤＲＳより大きい送信パワーを有することを含んでもいい。
【０１９２】
好ましくは、配置情報は送信パワーの強化値指示及び送信サイクルを含んでもいい。さらに、この方法は送信サイクルに基づいてＤＲＳの送信パワーを強化することで、送信サイクルを有するｅＤＲＳ信号を生成することを含んでもいい。
【０１９３】
好ましくは、ｅＤＲＳの送信サイクルはＤＲＳの送信サイクルのｎ倍であり、ただし、ｎは１より大きい整数である。
【０１９４】
好ましくは、配置情報は、さらに、時間オフセットを含んでもいい。さらに、この方法は、時間オフセットに基づいて各送信サイクル内の対応するＤＲＳの送信パワーを強化することを含んでもいい。
【０１９５】
一方、本開示の他の実施例に係る無線通信システムにおいて無線通信を行うための方法は、予定地理的領域内の測位待ちのユーザ機器の数と位置のうちの少なくともの一つに基づいて、予定地理的領域内の少なくとも一つの休眠小セル基地局送信ｅＤＲＳをオンするかどうかを確定することで、ユーザ機器を測位することと、確定した結果に基づいて対応する休眠小セル基地局のためのｅＤＲＳの送信配置情報を生成し、ただし、ｅＤＲＳはＤＲＳより大きい送信パワーを有することを含んでもいい。
【０１９６】
好ましくは、予定地理的領域内の隣接する休眠小セル基地局から送信したｅＤＲＳの時間は互いに異なってもいい。
【０１９７】
好ましくは、この方法は、さらに、予定地理的領域内の小セル基地局の間のｅＤＲＳとＤＲＳの干渉状況に基づいて、予定地理的領域内の少なくとも一つの休眠小セル基地局がｅＤＲＳを送信することを停止するかどうかを確定することを含んでもいい。
【０１９８】
好ましくは、この方法は、さらに、予定地理的領域内の休眠小セル基地局の数及び各休眠小セル基地局の被覆範囲における少なくとも一つに基づいて、予定地理的領域内の各休眠小セル基地局にｅＤＲＳの送信パラメータを配置することを含んでもいい。
【０１９９】
好ましくは、ｅＤＲＳの送信パラメータは送信パワーを含んでもいい。さらに、この方法は、さらに、ｅＤＲＳの送信パワーがＤＲＳの送信パワーに対する強化値を予定地理的領域内の休眠小セル基地局の数の増加に従って低下する、及び／又は、休眠小セル基地局の被覆範囲の増加に従って増加するように配置することを含んでもいい。
【０２００】
好ましくは、ｅＤＲＳの送信パラメータは送信サイクルを含んでもいい。さらに、この方法は、送信サイクルを予定地理的領域内の休眠小セル基地局の数の増加に従って増加するように配置することを含んでもいい。
【０２０１】
好ましくは、ｅＤＲＳの送信サイクルはＤＲＳの送信サイクルのｎ倍であり、ただし、ｎは１より大きい整数であってもいい。
【０２０２】
好ましくは、ｅＤＲＳの送信パラメータは、さらに、送信サイクル内の送信モードを含んでもいい。さらに、この方法は、予定地理的領域内の異なる休眠小セル基地局に異なる時間オフセットを有する異なる送信モードを配置することを含んでもいい。
【０２０３】
本開示の実施例に係る無線通信システムにおいて無線通信を行うための方法の上記各ステップの様々な具体的な実施方式について、先に既に詳しく説明したので、ここで繰り返し説明しない。
【０２０４】
本開示の技術は様々な製品に適用できる。例えば、本開示に言及した測位サーバーは、例えば、タワー型サーバー、ラックマウントサーバー及びブレードサーバのような任意のタイプのサーバーに実現される。測位サーバーはサーバーにおける制御モジュール（例えば、単一のウエハーを含む集積回路モジュール、及びブレードサーバのスロットに挿入するカード又はブレード（ｂｌａｄｅ））に搭載してもいい。
【０２０５】
例えば、本開示に言及した基地局は任意のタイプの進化型ノードＢ（ｅＮＢ）、例えばマクロｅＮＢ及び小ｅＮＢに実現される。小ｅＮＢはマクロセルより小さいセルを被覆するｅＮＢ、例えば、ピコｅＮＢ、マイクロｅＮＢ及びファミリー（フェムト）ｅＮＢであってもいい。代わりに、基地局は任意の他のタイプの基地局、例えば、ＮｏｄｅＢとＢＴＳ基地局（ＢＴＳ）に実現される。基地局は、無線通信を制御するように配置される本体（基地局機器とも呼ばれる）と、本体と異なるところに設置する一つ又は複数のリモート無線ヘッド（ＲＲＨ）とを含んでもいい。また、次に説明する様々な種類の端末はいずれも一時的又は半永久的に基地局機能を実行することによって基地局として作業する。
【０２０６】
例えば、本開示に言及したＵＥは、モバイル端末（例えば、スマートフォン、タブレットパソコン（ＰＣ）、ノートパソコン、携帯ゲーム端末、ポータブル／ドングル型のモバイルルータ及びデジタルイメージング装置）又は車載端末（例えば、カーナビゲーション装置）に実現されてもいい。ＵＥは実行機器が機器（Ｍ２Ｍ）に対して通信する端末（マシン型通信（ＭＴＣ）端末とも呼ばれる）に実現されてもいい。なお、ＵＥは上記端末における各端末に搭載している無線通信モジュール（例えば、単一のウエハーを含む集積回路モジュール）であってもいい。
【０２０７】
図９は本開示の技術を応用できるサーバー９００の模式的な配置の例を示すブロック図である。サーバー９００は、プロセッサ９０１、メモリ９０２、記憶装置９０３、ネットワークインタフェース９０４及びバス９０６を含む。
【０２０８】
プロセッサ９０１は、例えば中央処理ユニット（ＣＰＵ）又はデジタル信号プロセッサ（ＤＳＰ）であってもよく、そしてサーバー９００の機能を制御する。メモリ９０２はランダムアクセスメモリ（ＲＡＭ）と読み取り専用メモリ（ＲＯＭ）を含み、且つデータ及びプロセッサ９０１により実行されるプログラムを記憶する。記憶装置９０３は記憶媒体、例えば半導体メモリとハードディスクを含んでもいい。
【０２０９】
ネットワークインタフェース９０４はサーバー９００を有線通信ネットワーク７０５に接続するための有線通信インタフェースである。有線通信ネットワーク７０５は、例えば、進化型パケットコアネットワーク（ＥＰＣ）のコアネットワーク、或いは、例えばインターネットのパケットデータネットワーク（ＰＤＮ）であってもいい。
【０２１０】
バス９０６はプロセッサ９０１、メモリ９０２、記憶装置９０３及びネットワークインタフェース９０４を互いに接続する。バス９０６はそれぞれに異なる速度を有する二つ以上のバス（例えば、高速バス及び低速バス）を含んでもいい。
【０２１１】
図１０は本開示の技術を応用できるｅＮＢの模式的な配置の第１例を示すブロック図である。ｅＮＢ１０００は一つ又は複数のアンテナ１０１０及び基地局機器１０２０を含む。基地局機器１０２０と各アンテナ１０１０はＲＦケーブルに介して互いに接続する。
【０２１２】
アンテナ１０１０のそれぞれはいずれも単一の又は複数のアンテナ素子（例えば、多入力多出力（ＭＩＭＯ）アンテナに含まれる複数のアンテナ素子）を含み、且つ基地局機器１０２０が無線信号を送信及び受信することに用いられる。図１０に示すように、ｅＮＢ１０００は複数のアンテナ１０１０を含んでもいい。例えば、複数のアンテナ１０１０はｅＮＢ１０００に使用される複数のバンドと両立してもいい。図１０にｅＮＢ１０００は複数のアンテナ１０１０を含む例を示したが、ｅＮＢ１０００は単一のアンテナ１０１０を含んでもいい。
【０２１３】
基地局機器１０２０はコントローラ１０２１、メモリ１０２２、ネットワークインタフェース１０２３及び無線通信インタフェース１０２５を含む。
【０２１４】
コントローラ１０２１は、例えばＣＰＵ又はＤＳＰであってもよく、そして基地局機器１０２０の高いレベルの様々な機能を操作する。例えば、コントローラ１０２１は無線通信インタフェース１０２５により処理された信号におけるデータによってデータパケットを生成し、ネットワークインタフェース１０２３に介して生成したパケットを伝送する。コントローラ１０２１は複数のベースバンドプロセッサからのデータに対してバンドルを行ってバンドルパケットを生成し、生成したバンドルパケットを伝送する。コントローラ１０２１は、例えば、無線リソース制御、無線キャリア制御、モビリティ管理、アドミッション制御及びスケジューリングを実行するロジック機能を有してもいい。この制御は近くのｅＮＢ又はコアネットワークノードと結合して実行される。メモリ１０２２はＲＡＭとＲＯＭを含み、そしてコントローラ１０２１により実行されるプログラム及び様々な種類の制御データ（例えば、端末リスト、転送パワーデータ及びスケジューリングデータ）を記憶する。
【０２１５】
ネットワークインタフェース１０２３は基地局機器１０２０をコアネットワーク１０２４に接続するための通信インタフェースである。コントローラ１０２１はネットワークインタフェース１０２３に介してコアネットワークノード又は他のｅＮＢと通信する。このような場合、ｅＮＢ１０００とコアネットワークノード又は他のｅＮＢは論理インタフェース（例えば、Ｓ１インタフェースとＸ２インタフェース）によって互に接続する。ネットワークインタフェース１０２３は有線通信インタフェース又は無線バックホールラインための無線通信インタフェースであってもいい。ネットワークインタフェース１０２３は無線通信インタフェースであると、無線通信インタフェース１０２５に使用されるバンドに比べて、ネットワークインタフェース１０２３は高いバンドを無線通信に使用する。
【０２１６】
無線通信インタフェース１０２５は任意のセルラー通信方式（例えば、ロングタームエボリューション（ＬＴＥ）及びＬＴＥ−アドバンスト）をサポートし、且つアンテナ１０１０に介してｅＮＢ１０００に位置するセルにおける端末の無線接続に提供する。無線通信インタフェース１０２５は、一般的に、例えばベースバンド（ＢＢ）プロセッサ１０２６とＲＦ回路１０２７を含む。ＢＢプロセッサ１０２６は例えばエンコード／デコード、変調／復調及び多重化／逆多重化並びに層（例えばＬ１、媒体アクセス制御（ＭＡＣ）、無線リンク制御（ＲＬＣ）及びパケットデータコンバージェンスプロトコル（ＰＤＣＰ））の様々な種類の信号処理を実行してもいい。コントローラ１０２１、ＢＢプロセッサ１０２６に代わりに、上記ロジック機能の一部又は全部を有してもいい。ＢＢプロセッサ１０２６は通信制御プログラムを記憶するメモリ、或いはプログラムを実行するように配置されるプロセッサ及び相関する回路を含むモジュールであってもいい。プログラムを更新することは、ＢＢプロセッサ１０２６の機能を変更できる。このモジュールは基地局機器１０２０のスロットに挿入するカード又はブレードであってもいい。代わりに、このモジュールはカード又はブレードに搭載しているチップであってもいい。同時に、ＲＦ回路１０２７は例えばミキサー、フィルタ及び増幅器を含んでもよく、且つアンテナ１０１０に介して無線信号を伝送及び受信する。
【０２１７】
図１０に示すように、無線通信インタフェース１０２５は複数のＢＢプロセッサ１０２６を含んでもいい。例えば、複数のＢＢプロセッサ１０２６はｅＮＢ１０００に使用される複数のバンドと両立してもいい。図１０に示すように、無線通信インタフェース１０２５は複数のＲＦ回路１０２７を含んでもいい。例えば、複数のＲＦ回路１０２７は複数のアンテナ素子と両立してもいい。図１０に無線通信インタフェース１０２５は複数のＢＢプロセッサ１０２６と複数のＲＦ回路１０２７を含む例を示したが、無線通信インタフェース１０２５は単一のＢＢプロセッサ１０２６又は単一のＲＦ回路１０２７を含んでもいい。
【０２１８】
図１１は本開示の技術を応用できるｅＮＢの模式的な配置の第２例を示すブロック図である。ｅＮＢ１１３０は一つ又は複数のアンテナ１１４０、基地局機器１１５０及びＲＲＨ１１６０を含んでもいい。ＲＲＨ１１６０と各アンテナ１１４０はＲＦケーブルに介して互いに接続してもいい。基地局機器１１５０とＲＲＨ１１６０は例えば、光ファイバケーブルの高速回線に介して互に接続してもいい。
【０２１９】
アンテナ１１４０のそれぞれはいずれも単一の又は複数のアンテナ素子（例えば、ＭＩＭＯアンテナに含まれる複数のアンテナ素子）を含み、そしてＲＲＨ１１６０が無線信号を送信及び受信することに用いられる。図１１に示すように、ｅＮＢ１１３０は複数のアンテナ１１４０を含んでもいい。例えば、複数のアンテナ１１４０はｅＮＢ１１３０に使用される複数のバンドと両立してもいい。図１１にｅＮＢ１１３０は複数のアンテナ１１４０を含む例を示したが、ｅＮＢ１１３０は単一のアンテナ１１４０を含んでもいい。
【０２２０】
基地局機器１１５０はコントローラ１１５１、メモリ１１５２、ネットワークインタフェース１１５３、無線通信インタフェース１１５５及び接続インタフェース１１５７を含む。コントローラ１１５１、メモリ１１５２及びネットワークインタフェース１１５３は図１０を参照して説明したコントローラ１０２１、メモリ１０２２及びネットワークインタフェース１０２３と同じである。
【０２２１】
無線通信インタフェース１１５５は任意のセルラー通信方式（例えば、ＬＴＥ及びＬＴＥ−アドバンスト）をサポートし、且つＲＲＨ１１６０とアンテナ１１４０に介してＲＲＨ１１６０に対応するセクターに位置する端末の無線通信に提供する。無線通信インタフェース１１５５は、一般的に、例えばＢＢプロセッサ１１５６を含んでもいい。ＢＢプロセッサ１１５６は接続インタフェース１１５７に介してＲＲＨ１１６０のＲＦ回路１１６４に接続する以外、ＢＢプロセッサ１１５６は図１０を参照して説明するＢＢプロセッサ１０２６と同じである。図１１に示すように、無線通信インタフェース１１５５は複数のＢＢプロセッサ１１５６を含んでもいい。例えば、複数のＢＢプロセッサ１１５６はｅＮＢ１１３０に使用される複数のバンドと両立してもいい。図１１に無線通信インタフェース１１５５は複数のＢＢプロセッサ１１５６を含む例を示したが、無線通信インタフェース１１５５は単一のＢＢプロセッサ１１５６を含んでもいい。
【０２２２】
接続インタフェース１１５７は基地局機器１１５０（無線通信インタフェース１１５５）をＲＲＨ１１６０に接続するためのインタフェースである。接続インタフェース１１５７は基地局機器１１５０（無線通信インタフェース１１５５）をＲＲＨ１１６０に接続する上記高速回線における通信のための通信モジュールであってもいい。
【０２２３】
ＲＲＨ１１６０は接続インタフェース１１６１と無線通信インタフェース１１６３を含む。
【０２２４】
接続インタフェース１１６１はＲＲＨ１１６０（無線通信インタフェース１１６３）を基地局機器１１５０に接続するためのインタフェースである。接続インタフェース１１６１は上記高速回線における通信ための通信モジュールであってもいい。
【０２２５】
無線通信インタフェース１１６３はアンテナ１１４０に介して無線信号を伝送及び受信する。無線通信インタフェース１１６３は、一般的に、例えばＲＦ回路１１６４を含む。ＲＦ回路１１６４は例えばミキサー、フィルタ及び増幅器を含み、且つアンテナ１１４０に介して無線信号を伝送及び受信する。図１１に示すように、無線通信インタフェース１１６３は複数のＲＦ回路１１６４を含んでもいい。例えば、複数のＲＦ回路１１６４は複数のアンテナ素子をサポートしてもいい。図１１に無線通信インタフェース１１６３は複数のＲＦ回路１１６４を含む例を示したが、無線通信インタフェース１１６３は単一のＲＦ回路１１６４を含んでもいい。
【０２２６】
図１０と図１１に示すようなｅＮＢ１０００及びｅＮＢ１１３０では、図２で説明した通信ユニット２２０、及び図３で説明した通信ユニット３２０は無線通信インタフェース１０２５及び無線通信インタフェース１１５５及び／又は無線通信インタフェース１１６３により実現される。機能の少なくとも一部についても、コントローラ１０２１とコントローラ１１５１により実現されてもいい。
【０２２７】
図１２は本開示の技術を応用できるスマートフォン１２００の模式的な配置の例を示すブロック図である。スマートフォン１２００はプロセッサ１２０１、メモリ１２０２、記憶装置１２０３、外部接続インタフェース１２０４、撮像装置１２０６、センサー１２０７、マイク１２０８、入力装置１２０９、表示装置１２１０、スピーカー１２１１、無線通信インタフェース１２１２、一つ又は複数のアンテナスイッチ１２１５、一つ又は複数のアンテナ１２１６、バス１２１７、バッテリー１２１８及び補助コントローラ１２１９を含む。
【０２２８】
プロセッサ１２０１は、例えばＣＰＵ又はシステムオンチップ（ＳｏＣ）であってもよく、そしてスマートフォン１２００の応用層及び他の層の機能を制御する。メモリ１２０２はＲＡＭとＲＯＭを含み、且つデータ及びプロセッサ１２０１により実行されるプログラムを記憶する。記憶装置１２０３は例えば、半導体メモリとハードディスクのような記憶媒体を含む。外部接続インタフェース１２０４は外部装置（例えば、記憶カード及びユニバーサルシリアルバス（ＵＳＢ）装置）をスマートフォン１２００に接続するためのインタフェースである。
【０２２９】
撮像装置１２０６は画像センサー（例えば、電荷結合素子（ＣＣＤ）及び相補型金属酸化膜半導体（ＣＭＯＳ））を含み、且つ撮像画像を生成する。センサー１２０７は、例えば、測定センサー、ジャイロセンサー、地磁気センサー及び加速度センサーのような１組のセンサーを含んでもいい。マイク１２０８はスマートフォン１２００に入力された音をオーディオ信号に変換する。入力装置１２０９は、例えば表示装置１２１０のスクリーンにおけるタッチを検出するように配置されるタッチセンサー、キーパッド、キーボード、ボタン又はスイッチを含み、そしてユーザから入力される操作又は情報を受信する。表示装置１２１０はスクリーン（例えば、液晶ディスプレイ（ＬＣＤ）と有機発光ダイオード（ＯＬＥＤ）ディスプレイ）を含み、且つスマートフォン１２００の出力画像を表示する。スピーカー１２１１はスマートフォン１２００から出力したオーディオ信号を音に変換する。
【０２３０】
無線通信インタフェース１２１２は任意のセルラー通信方式（例えば、ＬＴＥ及びＬＴＥ−アドバンスト）をサポートし、且つ、無線通信を実行する。無線通信インタフェース１２１２は、一般的には、例えばＢＢプロセッサ１２１３及びＲＦ回路１２１４を含んでもいい。ＢＢプロセッサ１２１３は、例えばエンコード／デコード、変調／復調及び多重化／逆多重化並びに無線通信のための様々な種類の信号処理を実行してもいい。同時に、ＲＦ回路１２１４は例えばミキサー、フィルタ及び増幅器を含んでもよく、且つ、アンテナ１２１６に介して無線信号を伝送及び受信する。無線通信インタフェース１２１２はＢＢプロセッサ１２１３とＲＦ回路１２１４を集積化している一つのチップモジュールであってもいい。図１２に示すように、無線通信インタフェース１２１２は複数のＢＢプロセッサ１２１３及び複数のＲＦ回路１２１４を含んでもいい。図１２に無線通信インタフェース１２１２は複数のＢＢプロセッサ１２１３及び複数のＲＦ回路１２１４を含む例を示したが、無線通信インタフェース１２１２は単一のＢＢプロセッサ１２１３又は単一のＲＦ回路１２１４を含んでもいい。
【０２３１】
なお、セルラー通信方式の以外、無線通信インタフェース１２１２は、例えば近距離無線通信方式、近接場通信方式及び無線局域内（ＬＡＮ）方式のような他のタイプの無線通信方式をサポートしてもいい。このような場合、無線通信インタフェース１２１２は各無線通信方式に対するＢＢプロセッサ１２１３及びＲＦ回路１２１４を含んでもいい。
【０２３２】
アンテナスイッチ１２１５のそれぞれは無線通信インタフェース１２１２に含まれる複数の回路（例えば異なる無線通信方式に用いられる回路）の間にアンテナ１２１６の接続先を切り換る。
【０２３３】
アンテナ１２１６のそれぞれはいずれも単一の又は複数のアンテナ素子（例えば、ＭＩＭＯアンテナに含まれる複数のアンテナ素子）を含み、そして無線通信インタフェース１２１２が無線信号を伝送及び受信することに用いられる。図１２に示すように、スマートフォン１２００は複数のアンテナ１２１６を含んでもいい。図１２にスマートフォン１２００は複数のアンテナ１２１６を含む例を示したが、スマートフォン１２００は単一のアンテナ１２１６を含んでもいい。
【０２３４】
なお、スマートフォン１２００は各無線通信方式に対応するアンテナ１２１６を含んでもいい。このような場合、アンテナスイッチ１２１５はスマートフォン１２００の配置から省略されてもいい。
【０２３５】
バス１２１７はプロセッサ１２０１、メモリ１２０２、記憶装置１２０３、外部接続インタフェース１２０４、撮像装置１２０６、センサー１２０７、マイク１２０８、入力装置１２０９、表示装置１２１０、スピーカー１２１１、無線通信インタフェース１２１２及び補助コントローラ１２１９を互いに接続する。バッテリー１２１８はフィードラインに介して図１２に示すようなスマートフォン１２００の各ブロックに電力を提供し、図面において部分的に点線で示される。補助コントローラ１２１９は、例えば睡眠モード下でスマートフォン１２００の最小の必要な機能を操作する。
【０２３６】
図１２に示すようなスマートフォン１２００では、図１を使用して説明した通信ユニット１２０は無線通信インタフェース１２１２により実現される。機能の少なくとも一部についてもプロセッサ１２０１又は補助コントローラ１２１９により実現されてもいい。
【０２３７】
図１３は本開示の技術を応用できるカーナビゲーション装置１３２０の模式的な配置の例を示すブロック図である。カーナビゲーション装置１３２０はプロセッサ１３２１、メモリ１３２２、全地球測位システム（ＧＰＳ）モジュール１３２４、センサー１３２５、データインタフェース１３２６、コンテンツプレーヤー１３２７、記憶媒体インタフェース１３２８、入力装置１３２９、表示装置１３３０、スピーカー１３３１、無線通信インタフェース１３３３、一つ又は複数のアンテナスイッチ１３３６、一つ又は複数のアンテナ１３３７及びバッテリー１３３８を含む。
【０２３８】
プロセッサ１３２１は例えばＣＰＵ又はＳｏＣであってもよく、且つカーナビゲーション装置１３２０のナビゲーション機能及び他の機能を制御する。メモリ１３２２はＲＡＭ及びＲＯＭを含み、そしてデータ及びプロセッサ１３２１により実行されるプログラムを記憶する。
【０２３９】
ＧＰＳモジュール１３２４はＧＰＳ衛星から受信したＧＰＳ信号を使用してカーナビゲーション装置１３２０の位置（例えば、緯度、経度及び高度）を測定する。センサー１３２５は、例えばジャイロセンサー、地磁気センサー及びエア圧力センサーのような一組のセンサーを含んでもいい。データインタフェース１３２６は示さない端末に介して例えば車載ネットワーク１３４１に接続し、且つ、車両により生成されるデータ（例えば、車両のスピードデータ）を取得する。
【０２４０】
コンテンツプレーヤー１３２７は記憶媒体（例えば、ＣＤ及びＤＶＤ）に記憶している内容を再現し、当該記憶媒体は記憶媒体インタフェース１３２８に挿入される。入力装置１３２９は、例えば表示装置１３３０のスクリーンにおけるタッチされるタッチセンサー、ボタン或いはスイッチを検出し、ユーザから入力された操作又は情報を受信するように配置される。表示装置１３３０は、例えば、ＬＣＤ又はＯＬＥＤディスプレイのスクリーンを含み、そしてナビゲーション機能の画像又は再現内容を表示する。スピーカー１３３１はナビゲーション機能の音又は再現内容を出力する。
【０２４１】
無線通信インタフェース１３３３は任意のセルラー通信方式（例えば、ＬＴＥ及びＬＴＥ−アドバンスト）をサポートし、且つ無線通信を実行する。無線通信インタフェース１３３３は、一般的には、例えばＢＢプロセッサ１３３４とＲＦ回路１３３５を含んでもいい。ＢＢプロセッサ１３３４は、例えばエンコード／デコード、変調／復調及び多重化／逆多重化並びに無線通信のための様々な種類の信号処理を実行してもいい。同時に、ＲＦ回路１３３５は、例えばミキサー、フィルタ及び増幅器を含んでもよく、そして、アンテナ１３３７に介して無線信号を伝送及び受信する。無線通信インタフェース１３３３はＢＢプロセッサ１３３４とＲＦ回路１３３５を集積化している一つのチップモジュールであってもいい。図１３に示すように、無線通信インタフェース１３３３は複数のＢＢプロセッサ１３３４と複数のＲＦ回路１３３５を含んでもいい。図１３には無線通信インタフェース１３３３は複数のＢＢプロセッサ１３３４と複数のＲＦ回路１３３５を含む例を示したが、無線通信インタフェース１３３３は単一のＢＢプロセッサ１３３４又は単一のＲＦ回路１３３５を含んでもいい。
【０２４２】
なお、セルラー通信方式の以外、無線通信インタフェース１３３３は例えば、近距離無線通信方式、近接場通信方式及び無線ＬＡＮ方式のような他のタイプの無線通信方式をサポートしてもいい。このような場合、各無線通信方式に対して、無線通信インタフェース１３３３はＢＢプロセッサ１３３４とＲＦ回路１３３５を含んでもいい。
【０２４３】
アンテナスイッチ１３３６のそれぞれは、無線通信インタフェース１３３３に含まれる複数の回路（例えば、異なる無線通信方式に用いられる回路）の間にアンテナ１３３７の接続先を切り換る。
【０２４４】
アンテナ１３３７のそれぞれはいずれも単一の又は複数のアンテナ素子（例えば、ＭＩＭＯアンテナに含まれる複数のアンテナ素子である）を含み、且つ無線通信インタフェース１３３３は無線信号を伝送及び受信することに用いられる。図１３に示すように、カーナビゲーション装置１３２０は複数のアンテナ１３３７を含んでもいい。図１３には、カーナビゲーション装置１３２０は複数のアンテナ１３３７を含む例を示したが、カーナビゲーション装置１３２０は単一のアンテナ１３３７を含んでもいい。
【０２４５】
なお、カーナビゲーション装置１３２０は各無線通信方式に対応するアンテナ１３３７を含んでもいい。このような場合、アンテナスイッチ１３３６はカーナビゲーション装置１３２０の配置から省略されてもいい。
【０２４６】
バッテリー１３３８はフィードラインに介して図１３に示すようなカーナビゲーション装置１３２０の各ブロックに電力を提供し、フィードラインは図において部分的に点線で示される。バッテリー１３３８は車両から提供した電力を蓄積する。
【０２４７】
図１３に示すようなカーナビゲーション装置１３２０では、図１を使用して説明した通信ユニット１２０は無線通信インタフェース１３３３により実現されてもいい。機能の少なくとも一部についてもプロセッサ１３２１により実現されてもいい。
【０２４８】
本開示の技術は、カーナビゲーション装置１３２０、車載ネットワーク１３４１及び車両モジュール１３４２のうちの一つ又は複数のブロックを含む車載システム（或いは、車両）１３４０ように実現される。車両モジュール１３４２は車両データ（例えば、車両のスピード、エンジン回転数及び障害情報）を生成し、生成したデータを車載ネットワーク１３４１に出力する。
【０２４９】
本開示に係るシステム及び方法では、各部材又は各ステップについて分解及び／又は再びに組み合わせもいい。これらの分解及び／又は再びに組み合わせたものは、本開示の同等方式とみなす。そして、上記一連の処理を実行するステップは自然に説明した順番で時系列に応じて実行するが、必ずしも時間順番に応じて実行する必要がない。あるステップは並行又は互いに独立して実行されてもいい。
【０２５０】
以上、図面に基づいて本開示の実施例を詳しく説明したが、以上に説明した実施方式はただ本開示を説明するもので、本開示の制限に構成しないように理解される。当業者にとって、本開示の実質及び範囲から逸脱しなくて上記の実施方式に対して様々な修正及び変更してもいい。従って、本開示の範囲は添付の特許請求の範囲及びその均等物の意味によって限定される。
【図１】
0006652138.tif 000005
【図２】
0006652138.tif 000006
【図３】
0006652138.tif 000007
【図４】
0006652138.tif 000008
【図５】
0006652138.tif 000009
【図６】
0006652138.tif 000010
【図７】
0006652138.tif 000011
【図８】
0006652138.tif 000012
【図９】
0006652138.tif 000013
【図１０】
0006652138.tif 000014
【図１１】
0006652138.tif 000015
【図１２】
0006652138.tif 000016
【図１３】
0006652138.tif 000017